(57)【要約】  撮像レンズは、物体側より順に、物体側凸形状の少なくとも１枚の正レンズと、負レンズと、非球面を有する少なくとも１枚のレンズと、から成り、正レンズと負レンズとが隣り合って配置され、条件式：0.1＜Ton／Dopn＜7，0.1＜(Rona−Ronb)／(Rona＋Ronb)＜1.5，0.3＜Y'／TL＜0.9(Ton：最も物体側に位置する負レンズの光軸上厚み、Dopn：最も物体側に位置する負レンズと前記負レンズの物体側に隣り合った正レンズとの間の光軸上間隔、Rona：最も物体側に位置する負レンズの物体側面の近軸曲率半径、Ronb：最も物体側に位置する負レンズの像側面の近軸曲率半径、Y'：最大像高、TL：最物体側レンズ面の面頂点から像面までの光軸上距離（平行平板を含む場合は空気換算長）)を満足する。
2011118554.tif 000002
【特許請求の範囲】
【請求項１】
物体側より順に、物体側凸形状の少なくとも１枚の正レンズと、負レンズと、非球面を有する少なくとも１枚のレンズと、から構成され、前記正レンズと前記負レンズとが隣り合って配置され、以下の条件式(A1),(A2)及び(A3)を満足することを特徴とする撮像レンズ；
0.1＜Ton／Dopn＜7  …(A1)
0.1＜(Rona−Ronb)／(Rona＋Ronb)＜1.5  …(A2)
0.3＜Y'／TL＜0.9  …(A3)
ただし、
Ton：最も物体側に位置する負レンズの光軸上厚み、
Dopn：最も物体側に位置する負レンズと前記負レンズの物体側に隣り合った正レンズとの間の光軸上間隔、
Rona：最も物体側に位置する負レンズの物体側面の近軸曲率半径、
Ronb：最も物体側に位置する負レンズの像側面の近軸曲率半径、
Y'：最大像高、
TL：最物体側レンズ面の面頂点から像面までの光軸上距離（平行平板を含む場合は空気換算長）、
である。
【請求項２】
物体側より順に、物体側凸形状の正の第１レンズと、負の第２レンズと、第３レンズと、第４レンズと、非球面を少なくとも１面有する第５レンズと、から構成されることを特徴とする請求項１記載の撮像レンズ。
【請求項３】
物体側より順に、正の第１レンズと、物体側凸形状の正の第２レンズと、負の第３レンズと、第４レンズと、第５レンズと、非球面を少なくとも１面有する第６レンズと、から構成されることを特徴とする請求項１記載の撮像レンズ。
【請求項４】
物体側より順に、物体側凸形状の正の第１レンズと、負の第２レンズと、正の第３レンズと、非球面を少なくとも１面有する第４レンズと、から構成され、以下の条件式(A4)を満足することを特徴とする請求項１記載の撮像レンズ；
0.1＜T2／D12＜5  …(A4)
ただし、
T2：第２レンズの光軸上厚み、
D12：第１レンズと第２レンズとの間の光軸上間隔、
である。
【請求項５】
前記非球面の形状が、光軸との交点以外の位置に変曲点を有する形状であることを特徴とする請求項１記載の撮像レンズ。
【請求項６】
最も物体側に位置する負レンズが像側凹形状を有することを特徴とする請求項１記載の撮像レンズ。
【請求項７】
最も物体側に位置する負レンズが樹脂材料から成り、前記負レンズよりも物体側に開口絞りが位置し、以下の条件式(A5)を満足することを特徴とする請求項１記載の撮像レンズ；
1.6＜Ndon＜2.2  …(A5)
ただし、
Ndon：最も物体側に位置する負レンズのｄ線に対する屈折率、
である。
【請求項８】
最も像側に位置するレンズの物体側に隣り合って位置するレンズが、像側凸形状の正レンズであることを特徴とする請求項１記載の撮像レンズ。
【請求項９】
物体側より順に、第１レンズ群と第２レンズ群と第３レンズ群とから構成され、前記第１レンズ群と前記第３レンズ群が像面に対して位置固定の状態で、前記第２レンズ群を光軸方向に移動することによりフォーカシングを行うことを特徴とする請求項１記載の撮像レンズ。
【請求項１０】
物体側より順に、第１レンズ群と第２レンズ群とから構成され、前記第２レンズ群が像面に対して位置固定の状態で、前記第１レンズ群を光軸方向に移動することによりフォーカシングを行うことを特徴とする請求項１記載の撮像レンズ。
【請求項１１】
以下の条件式(A6)を満足することを特徴とする請求項１記載の撮像レンズ；
0.005＜｜Ton／fon｜＜0.15  …(A6)
ただし、
Ton：最も物体側に位置する負レンズの光軸上厚み、
fon：最も物体側に位置する負レンズの焦点距離、
である。
【請求項１２】
最も物体側に位置する正レンズと最も物体側に位置する負レンズとの間に、開口絞りが位置することを特徴とする請求項１記載の撮像レンズ。
【請求項１３】
最像側レンズが像側凹の形状を有し、以下の条件式(A7)を満足することを特徴とする請求項１記載の撮像レンズ；
0.01＜bf／TL＜0.4  …(A7)
ただし、
bf：最も像側に位置するレンズ面の面頂点から像面までの光軸上距離（平行平板を含む場合は空気換算長）、
である。
【請求項１４】
以下の条件式(A8)を満足することを特徴とする請求項１記載の撮像レンズ；
1＜Eon／Ton＜3  …(A8)
ただし、
Eon：最も物体側に位置する負レンズの前後面において、最大画角の光束のうち最も高い位置を通過する光線と各面との交点間の光軸方向の距離、
である。
【請求項１５】
最も物体側に位置する負レンズの物体側面が凸形状を有することを特徴とする請求項１記載の撮像レンズ。
【請求項１６】
最も物体側に位置する負レンズが射出圧縮成形法により成形されたものであることを特徴とする請求項１記載の撮像レンズ。
【請求項１７】
物体側より順に、第１レンズ群，第２レンズ群及び第３レンズ群から構成され、前記第１レンズ群と前記第３レンズ群が像面に対して位置固定の状態で、前記第２レンズ群を光軸方向に移動することによりフォーカシングを行う単焦点の撮像レンズであって、
前記第１レンズ群が少なくとも１枚の正レンズと少なくとも１枚の負レンズとを含み、前記第２レンズ群が少なくとも１枚の正レンズを含み、前記第３レンズ群が光軸との交点以外の位置に変曲点を有する非球面形状のレンズを少なくとも１枚含み、全体として５枚以上のレンズで構成され、以下の条件式(B1),(B2)及び(B3)を満足することを特徴とする撮像レンズ；
0.05＜(Da＋Db)／TL＜0.8  …(B1)
0.02＜Dam／TL＜0.3  …(B2)
0.3＜Y'／TL＜0.9  …(B3)
ただし、
Da：無限遠物体距離時の第１レンズ群の最も像側の面から第２レンズ群の最も物体側の面までの光軸上距離、
Db：無限遠物体距離時の第２レンズ群の最も像側の面から第３レンズ群の最も物体側の面までの光軸上距離、
TL：最物体側レンズ面の面頂点から像面までの光軸上距離（平行平板を含む場合は空気換算長）、
Dam：最近接物体距離時の第１レンズ群の最も像側の面から第２レンズ群の最も物体側の面までの光軸上距離、
Y'：最大像高、
である。
【請求項１８】
前記第１レンズ群が全体として正の光学パワーを有し、前記第２レンズ群が全体として正の光学パワーを有し、前記第３レンズ群が全体として負の光学パワーを有することを特徴とする請求項１７記載の撮像レンズ。
【請求項１９】
物体側より順に、物体側凸形状の正の第１レンズと、像側凹形状の負の第２レンズと、第３レンズと、像側凸形状の正の第４レンズと、光軸との交点以外の位置に変曲点を有する非球面形状の負の第５レンズと、から成ることを特徴とする請求項１７記載の撮像レンズ。
【請求項２０】
前記第１レンズ群が物体側より順に正の第１レンズと負の第２レンズとの２枚から成り、前記第２レンズ群が物体側より順に第３レンズと正の第４レンズとの２枚から成り、前記第３レンズ群が負の第５レンズから成ることを特徴とする請求項１７記載の撮像レンズ。
【請求項２１】
以下の条件式(B4)を満足することを特徴とする請求項１７記載の撮像レンズ；
0.01＜Tmin／f＜0.2  …(B4)
ただし、
Tmin：構成するレンズの光軸上厚みのうちの最小値、
f：無限遠物体距離時の全系の焦点距離、
である。
【請求項２２】
以下の条件式(B5)を満足することを特徴とする請求項１７記載の撮像レンズ；
0.005＜｜Tmin／ftmin｜＜0.15  …(B5)
ただし、
Tmin：構成するレンズの光軸上厚みのうちの最小値、
ftmin：光軸上厚みが最小値となるレンズの焦点距離、
である。
【請求項２３】
以下の条件式(B6)を満足することを特徴とする請求項１９記載の撮像レンズ；
0.01＜E1／f1＜0.2  …(B6)
ただし、
E1：第１レンズの前後面において、無限遠物体距離時の最大画角の光束のうち最も高い位置を通過する光線と各面との交点間の光軸方向の距離、
f1：第１レンズの焦点距離、
である。
【請求項２４】
以下の条件式(B7)を満足することを特徴とする請求項１９記載の撮像レンズ；
0.005＜｜T2／f2｜＜0.15  …(B7)
ただし、
T2：第２レンズの光軸上厚み、
f2：第２レンズの焦点距離、
である。
【請求項２５】
以下の条件式(B8)を満足することを特徴とする請求項１９記載の撮像レンズ；
0.01＜E4／f4＜0.3  …(B8)
ただし、
E4：第４レンズの前後面において、無限遠物体距離時の最大画角の光束のうち最も高い位置を通過する光線と各面との交点間の光軸方向の距離、
f4：第４レンズの焦点距離、
である。
【請求項２６】
以下の条件式(B9)を満足することを特徴とする請求項１９記載の撮像レンズ；
0.002＜｜T3／f3｜＜2  …(B9)
ただし、
T3：第３レンズの光軸上厚み、
f3：第３レンズの焦点距離、
である。
【請求項２７】
以下の条件式(B10)を満足することを特徴とする請求項１９記載の撮像レンズ；
0.01＜｜T5／f5｜＜2  …(B10)
ただし、
T5：第５レンズの光軸上厚み、
f5：第５レンズの焦点距離、
である。
【請求項２８】
以下の条件式(B11)及び(B12)を満足することを特徴とする請求項１９記載の撮像レンズ；
0.1＜E4／T4＜1.5  …(B11)
0.5＜E5／T5＜10  …(B12)
ただし、
T4：第４レンズの光軸上厚み、
E5：第５レンズの前後面において、無限遠物体距離時の最大画角の光束のうち最も高い位置を通過する光線と各面との交点間の光軸方向の距離、
である。
【請求項２９】
最像側レンズが像側凹の形状を有し、以下の条件式(B13)を満足することを特徴とする請求項１７記載の撮像レンズ；
0.01＜bf／TL＜0.4  …(B13)
ただし、
bf：最も像側に位置するレンズ面の面頂点から像面までの光軸上距離（平行平板を含む場合は空気換算長）、
である。
【請求項３０】
少なくとも１枚のレンズが射出圧縮成形法により成形されたものであることを特徴とする請求項１７記載の撮像レンズ。
【請求項３１】
請求項１〜３０のいずれか１項に記載の撮像レンズと、撮像面上に形成された光学像を電気的な信号に変換する撮像素子と、を備え、前記撮像素子の撮像面上に被写体の光学像が形成されるように前記撮像レンズが設けられていることを特徴とする撮像光学装置。
【請求項３２】
前記第３レンズ群と前記撮像面との間を密閉する構造を有することを特徴とする請求項３１記載の撮像光学装置。
【請求項３３】
請求項３１記載の撮像光学装置を備えることにより、被写体の静止画撮影，動画撮影のうちの少なくとも一方の機能が付加されたことを特徴とするデジタル機器。
【請求項３４】
前記撮像光学装置から得られる画像データを電気的に加工する画像処理部を有することを特徴とする請求項３３記載のデジタル機器。
【請求項３５】
前記画像処理部で画像の歪みを補正することを特徴とする請求項３３記載のデジタル機器。
【請求項３６】
前記画像処理部で焦点深度を拡大することを特徴とする請求項３３記載のデジタル機器。
【請求項３７】
携帯端末であることを特徴とする請求項３３記載のデジタル機器。
【発明の詳細な説明】
【技術分野】
【０００１】
本発明は撮像レンズ，撮像光学装置及びデジタル機器に関するものである。更に詳しくは、被写体の映像を撮像素子(例えば、ＣＣＤ(Charge  Coupled  Device)型イメージセンサ，ＣＭＯＳ(Complementary  Metal-Oxide  Semiconductor)型イメージセンサ等の固体撮像素子)で取り込む撮像光学装置と、それを搭載した画像入力機能付きデジタル機器と、撮像素子の受光面上に被写体の光学像を形成する小型の撮像レンズと、に関するものである。
【背景技術】
【０００２】
近年、撮像素子の高性能化・小型化に伴い、撮像光学装置を備えた携帯電話，携帯情報端末等の画像入力機能付きデジタル機器が普及しつつある。そして、撮像光学装置に搭載される撮像レンズには、更なるコンパクト化・高性能化への要求が高まっている。このような用途の撮像レンズとしては、３枚構成又は４枚構成に加えて、近年は５枚構成の撮像レンズも提案されている。【０００３】
一般的にレンズ枚数の増加による高性能化とコンパクト化は相反する要素であり、これらを技術的に両立させることは非常に難しい。この取り組みの一例として、例えば、特許文献１に記載のものが挙げられる。特許文献１に記載の光学系では、主に第１レンズと第２レンズの焦点距離，中心厚及びアッベ数を規定することで、小型化を図ろうとしている。また別の例として、特許文献２に記載の光学系では、第２レンズの曲率半径等を規定することで、同じく小型化を図ろうとしている。【０００４】
また、高機能な撮像光学装置では、いわゆるオートフォーカスと呼ばれる機能が搭載されるのが一般的である。しかしながら従来の構成では、３〜５枚のレンズ全体を繰り出す方式を採用しているため、駆動装置が大型化し、結果的にレンズユニット全体の小型化が図れなくなったり、駆動部を有する部分でゴミが発生し画質に影響を与えたり、駆動装置の偏芯誤差に伴って画質が低下したり、といった問題が顕在化するようになってきた。元来、高性能化と小型化とは技術的に両立が難しい項目であるため、これを克服するためには従来の全体繰出しによるフォーカシング方式を抜本的に変更する必要がある。【０００５】
この取り組みの一例として、例えば、特許文献３に記載のものが挙げられる。特許文献１に記載の光学系では、主に第１レンズのみを繰り出すことにより、駆動装置の小型化に取り組んでいる。また別の例として、特許文献４に記載の光学系では、４枚構成のレンズのうち第２レンズのみを繰り出してフォーカシングを試みている。
【先行技術文献】
【特許文献】
【０００６】
【特許文献１】特許第４０７１８１９号公報
【特許文献２】特開２００９−２５８２８６号公報
【特許文献３】特開２００７−１０８５３４号公報
【特許文献４】特開２００８−７６９５３号公報
【発明の概要】
【発明が解決しようとする課題】
【０００７】
しかしながら、特許文献１，２に記載の光学系はいずれも、近年の要求に対しては小型化が不十分であり、またこれらの光学系で更なる小型化を図ろうとすると、特に色収差の補正が不十分となり、画面全域でコントラストが低下してしまう。このため、高画素に対応した画質性能を達成することができなくなってしまう。【０００８】
また、特許文献３，４に記載されている光学系は、いずれもフォーカシング方式を変更したメリット以上に、光学系の負荷が増したために光学性能が低下してしまったり、光学全長が増加してしまったり、誤差に対して非常に弱い構成になったり、Ｆ値が暗くなったり、近接距離が従来タイプよりも遠ざかったり、とデメリットの方が多い構成になってしまっている。【０００９】
本発明はこのような状況に鑑みてなされたものであって、その目的は、従来タイプよりも小型化を図りつつ、特に色収差の補正を良好に行うことができる撮像レンズ、それを備えた撮像光学装置及びデジタル機器を提供することにある。また、他の目的は、従来タイプよりも小型化と高性能化を図りつつ、他の仕様や生産性に影響を与えることもなく、かつ、近年量産工程で大きな問題となっている付着ゴミへの対応を一挙に解決することの可能な撮像レンズ、それを備えた撮像光学装置及びデジタル機器を提供することにある。
【課題を解決するための手段】
【００１０】
上記目的を達成するために、第１の発明の撮像レンズは、物体側より順に、物体側凸形状の少なくとも１枚の正レンズと、負レンズと、非球面を有する少なくとも１枚のレンズと、から構成され、前記正レンズと前記負レンズとが隣り合って配置され、以下の条件式(A1),(A2)及び(A3)を満足することを特徴とする。
0.1＜Ton／Dopn＜7  …(A1)
0.1＜(Rona−Ronb)／(Rona＋Ronb)＜1.5  …(A2)
0.3＜Y'／TL＜0.9  …(A3)
ただし、
Ton：最も物体側に位置する負レンズの光軸上厚み、
Dopn：最も物体側に位置する負レンズと前記負レンズの物体側に隣り合った正レンズとの間の光軸上間隔、
Rona：最も物体側に位置する負レンズの物体側面の近軸曲率半径、
Ronb：最も物体側に位置する負レンズの像側面の近軸曲率半径、
Y'：最大像高、
TL：最物体側レンズ面の面頂点から像面までの光軸上距離（平行平板を含む場合は空気換算長）、
である。【００１１】
第２の発明の撮像レンズは、上記第１の発明において、物体側より順に、物体側凸形状の正の第１レンズと、負の第２レンズと、第３レンズと、第４レンズと、非球面を少なくとも１面有する第５レンズと、から構成されることを特徴とする。【００１２】
第３の発明の撮像レンズは、上記第１の発明において、物体側より順に、正の第１レンズと、物体側凸形状の正の第２レンズと、負の第３レンズと、第４レンズと、第５レンズと、非球面を少なくとも１面有する第６レンズと、から構成されることを特徴とする。【００１３】
第４の発明の撮像レンズは、上記第１の発明において、物体側より順に、物体側凸形状の正の第１レンズと、負の第２レンズと、正の第３レンズと、非球面を少なくとも１面有する第４レンズと、から構成され、以下の条件式(A4)を満足することを特徴とする。
0.1＜T2／D12＜5  …(A4)
ただし、
T2：第２レンズの光軸上厚み、
D12：第１レンズと第２レンズとの間の光軸上間隔、
である。【００１４】
第５の発明の撮像レンズは、上記第１〜第４のいずれか１つの発明において、前記非球面の形状が、光軸との交点以外の位置に変曲点を有する形状であることを特徴とする。【００１５】
第６の発明の撮像レンズは、上記第１〜第５のいずれか１つの発明において、最も物体側に位置する負レンズが像側凹形状を有することを特徴とする。【００１６】
第７の発明の撮像レンズは、上記第１〜第６のいずれか１つの発明において、最も物体側に位置する負レンズが樹脂材料から成り、前記負レンズよりも物体側に開口絞りが位置し、以下の条件式(A5)を満足することを特徴とする。
1.6＜Ndon＜2.2  …(A5)
ただし、
Ndon：最も物体側に位置する負レンズのｄ線に対する屈折率、
である。【００１７】
第８の発明の撮像レンズは、上記第１〜第７のいずれか１つの発明において、最も像側に位置するレンズの物体側に隣り合って位置するレンズが、像側凸形状の正レンズであることを特徴とする。【００１８】
第９の発明の撮像レンズは、上記第１〜第８のいずれか１つの発明において、物体側より順に、第１レンズ群と第２レンズ群と第３レンズ群とから構成され、前記第１レンズ群と前記第３レンズ群が像面に対して位置固定の状態で、前記第２レンズ群を光軸方向に移動することによりフォーカシングを行うことを特徴とする。【００１９】
第１０の発明の撮像レンズは、上記第１〜第８のいずれか１つの発明において、物体側より順に、第１レンズ群と第２レンズ群とから構成され、前記第２レンズ群が像面に対して位置固定の状態で、前記第１レンズ群を光軸方向に移動することによりフォーカシングを行うことを特徴とする。【００２０】
第１１の発明の撮像レンズは、上記第１〜第１０のいずれか１つの発明において、以下の条件式(A6)を満足することを特徴とする。
0.005＜｜Ton／fon｜＜0.15  …(A6)
ただし、
Ton：最も物体側に位置する負レンズの光軸上厚み、
fon：最も物体側に位置する負レンズの焦点距離、
である。【００２１】
第１２の発明の撮像レンズは、上記第１〜第１１のいずれか１つの発明において、最も物体側に位置する正レンズと最も物体側に位置する負レンズとの間に、開口絞りが位置することを特徴とする。【００２２】
第１３の発明の撮像レンズは、上記第１〜第１２のいずれか１つの発明において、最像側レンズが像側凹の形状を有し、以下の条件式(A7)を満足することを特徴とする。
0.01＜bf／TL＜0.4  …(A7)
ただし、
bf：最も像側に位置するレンズ面の面頂点から像面までの光軸上距離（平行平板を含む場合は空気換算長）、
である。【００２３】
第１４の発明の撮像レンズは、上記第１〜第１３のいずれか１つの発明において、以下の条件式(A8)を満足することを特徴とする。
1＜Eon／Ton＜3  …(A8)
ただし、
Eon：最も物体側に位置する負レンズの前後面において、最大画角の光束のうち最も高い位置を通過する光線と各面との交点間の光軸方向の距離、
である。【００２４】
第１５の発明の撮像レンズは、上記第１〜第１４のいずれか１つの発明において、最も物体側に位置する負レンズの物体側面が凸形状を有することを特徴とする。【００２５】
第１６の発明の撮像レンズは、上記第１〜第１５のいずれか１つの発明において、最も物体側に位置する負レンズが射出圧縮成形法により成形されたものであることを特徴とする。【００２６】
また、第１７の発明の撮像レンズは、物体側より順に、第１レンズ群，第２レンズ群及び第３レンズ群から構成され、前記第１レンズ群と前記第３レンズ群が像面に対して位置固定の状態で、前記第２レンズ群を光軸方向に移動することによりフォーカシングを行う単焦点の撮像レンズであって、前記第１レンズ群が少なくとも１枚の正レンズと少なくとも１枚の負レンズとを含み、前記第２レンズ群が少なくとも１枚の正レンズを含み、前記第３レンズ群が光軸との交点以外の位置に変曲点を有する非球面形状のレンズを少なくとも１枚含み、全体として５枚以上のレンズで構成され、以下の条件式(B1),(B2)及び(B3)を満足することを特徴とする。
0.05＜(Da＋Db)／TL＜0.8  …(B1)
0.02＜Dam／TL＜0.3  …(B2)
0.3＜Y'／TL＜0.9  …(B3)
ただし、
Da：無限遠物体距離時の第１レンズ群の最も像側の面から第２レンズ群の最も物体側の面までの光軸上距離、
Db：無限遠物体距離時の第２レンズ群の最も像側の面から第３レンズ群の最も物体側の面までの光軸上距離、
TL：最物体側レンズ面の面頂点から像面までの光軸上距離（平行平板を含む場合は空気換算長）、
Dam：最近接物体距離時の第１レンズ群の最も像側の面から第２レンズ群の最も物体側の面までの光軸上距離、
Y'：最大像高、
である。【００２７】
第１８の発明の撮像レンズは、上記第１７の発明において、前記第１レンズ群が全体として正の光学パワーを有し、前記第２レンズ群が全体として正の光学パワーを有し、前記第３レンズ群が全体として負の光学パワーを有することを特徴とする。【００２８】
第１９の発明の撮像レンズは、上記第１７又は第１８の発明において、物体側より順に、物体側凸形状の正の第１レンズと、像側凹形状の負の第２レンズと、第３レンズと、像側凸形状の正の第４レンズと、光軸との交点以外の位置に変曲点を有する非球面形状の負の第５レンズと、から成ることを特徴とする。【００２９】
第２０の発明の撮像レンズは、上記第１７〜第１９のいずれか１つの発明において、前記第１レンズ群が物体側より順に正の第１レンズと負の第２レンズとの２枚から成り、前記第２レンズ群が物体側より順に第３レンズと正の第４レンズとの２枚から成り、前記第３レンズ群が負の第５レンズから成ることを特徴とする。【００３０】
第２１の発明の撮像レンズは、上記第１７〜第２０のいずれか１つの発明において、以下の条件式(B4)を満足することを特徴とする。
0.01＜Tmin／f＜0.2  …(B4)
ただし、
Tmin：構成するレンズの光軸上厚みのうちの最小値、
f：無限遠物体距離時の全系の焦点距離、
である。【００３１】
第２２の発明の撮像レンズは、上記第１７〜第２１のいずれか１つの発明において、以下の条件式(B5)を満足することを特徴とする。
0.005＜｜Tmin／ftmin｜＜0.15  …(B5)
ただし、
Tmin：構成するレンズの光軸上厚みのうちの最小値、
ftmin：光軸上厚みが最小値となるレンズの焦点距離、
である。【００３２】
第２３の発明の撮像レンズは、上記第１９〜第２２のいずれか１つの発明において、以下の条件式(B6)を満足することを特徴とする。
0.01＜E1／f1＜0.2  …(B6)
ただし、
E1：第１レンズの前後面において、無限遠物体距離時の最大画角の光束のうち最も高い位置を通過する光線と各面との交点間の光軸方向の距離、
f1：第１レンズの焦点距離、
である。【００３３】
第２４の発明の撮像レンズは、上記第１９〜第２３のいずれか１つの発明において、以下の条件式(B7)を満足することを特徴とする。
0.005＜｜T2／f2｜＜0.15  …(B7)
ただし、
T2：第２レンズの光軸上厚み、
f2：第２レンズの焦点距離、
である。【００３４】
第２５の発明の撮像レンズは、上記第１９〜第２４のいずれか１つの発明において、以下の条件式(B8)を満足することを特徴とする。
0.01＜E4／f4＜0.3  …(B8)
ただし、
E4：第４レンズの前後面において、無限遠物体距離時の最大画角の光束のうち最も高い位置を通過する光線と各面との交点間の光軸方向の距離、
f4：第４レンズの焦点距離、
である。【００３５】
第２６の発明の撮像レンズは、上記第１９〜第２５のいずれか１つの発明において、以下の条件式(B9)を満足することを特徴とする。
0.002＜｜T3／f3｜＜2  …(B9)
ただし、
T3：第３レンズの光軸上厚み、
f3：第３レンズの焦点距離、
である。【００３６】
第２７の発明の撮像レンズは、上記第１９〜第２６のいずれか１つの発明において、以下の条件式(B10)を満足することを特徴とする。
0.01＜｜T5／f5｜＜2  …(B10)
ただし、
T5：第５レンズの光軸上厚み、
f5：第５レンズの焦点距離、
である。【００３７】
第２８の発明の撮像レンズは、上記第１９〜第２７のいずれか１つの発明において、以下の条件式(B11)及び(B12)を満足することを特徴とする。
0.1＜E4／T4＜1.5  …(B11)
0.5＜E5／T5＜10  …(B12)
ただし、
T4：第４レンズの光軸上厚み、
E5：第５レンズの前後面において、無限遠物体距離時の最大画角の光束のうち最も高い位置を通過する光線と各面との交点間の光軸方向の距離、
である。【００３８】
第２９の発明の撮像レンズは、上記第１７〜第２８のいずれか１つの発明において、最像側レンズが像側凹の形状を有し、以下の条件式(B13)を満足することを特徴とする。
0.01＜bf／TL＜0.4  …(B13)
ただし、
bf：最も像側に位置するレンズ面の面頂点から像面までの光軸上距離（平行平板を含む場合は空気換算長）、
である。【００３９】
第３０の発明の撮像レンズは、上記第１７〜第２９のいずれか１つの発明において、少なくとも１枚のレンズが射出圧縮成形法により成形されたものであることを特徴とする。【００４０】
第３１の発明の撮像光学装置は、上記第１〜第３０のいずれか１つの発明に係る撮像レンズと、撮像面上に形成された光学像を電気的な信号に変換する撮像素子と、を備え、前記撮像素子の撮像面上に被写体の光学像が形成されるように前記撮像レンズが設けられていることを特徴とする。【００４１】
第３２の発明の撮像光学装置は、上記第３１の発明において、前記第３レンズ群と前記撮像面との間を密閉する構造を有することを特徴とする。【００４２】
第３３の発明のデジタル機器は、上記第３１又は第３２の発明に係る撮像光学装置を備えることにより、被写体の静止画撮影，動画撮影のうちの少なくとも一方の機能が付加されたことを特徴とする。【００４３】
第３４の発明のデジタル機器は、上記第３３の発明において、前記撮像光学装置から得られる画像データを電気的に加工する画像処理部を有することを特徴とする。【００４４】
第３５の発明のデジタル機器は、上記第３４の発明において、前記画像処理部で画像の歪みを補正することを特徴とする。【００４５】
第３６の発明のデジタル機器は、上記第３４又は第３５の発明において、前記画像処理部で焦点深度を拡大することを特徴とする。【００４６】
第３７の発明のデジタル機器は、上記第３３〜第３６のいずれか１つの発明において、携帯端末であることを特徴とする。
【発明の効果】
【００４７】
本発明の構成を採用することにより、色収差や球面収差の良好な補正と全系の小型化との両立が可能となる。したがって、従来タイプよりも小型化を図りつつ、特に色収差の補正を良好に行うことができる撮像レンズと、それを備えた撮像光学装置を実現することができる。また、本発明の構成を採用することにより、従来タイプよりも小型化と高性能化を図りつつ、他の仕様や生産性に影響を与えることもなく、かつ、近年量産工程で大きな問題となっている付着ゴミへの対応を一挙に解決することの可能な撮像レンズと、それを備えた撮像光学装置を実現することができる。そして、本発明に係る撮像光学装置を携帯電話，携帯情報端末等のデジタル機器に用いることによって、デジタル機器に対し高性能の画像入力機能をコンパクトに付加することが可能となる。
【図面の簡単な説明】
【００４８】
【図１】第１の実施の形態（実施例１）の光学構成図。
【図２】第２の実施の形態（実施例２）の光学構成図。
【図３】第３の実施の形態（実施例３）の光学構成図。
【図４】第４の実施の形態（実施例４）の光学構成図。
【図５】第５の実施の形態（実施例５）の光学構成図。
【図６】第６の実施の形態（実施例６）の光学構成図。
【図７】第７の実施の形態（実施例７）の光学構成図。
【図８】第８の実施の形態（実施例８）の光学構成図。
【図９】第９の実施の形態（実施例９）の光学構成図。
【図１０】第１０の実施の形態（実施例１０）の光学構成図。
【図１１】第１１の実施の形態（実施例１１）の光学構成図。
【図１２】実施例１の無限遠物体距離時の収差図。
【図１３】実施例２の無限遠物体距離時の収差図。
【図１４】実施例３の無限遠物体距離時の収差図。
【図１５】実施例４の無限遠物体距離時の収差図。
【図１６】実施例５の無限遠物体距離時の収差図。
【図１７】実施例６の無限遠物体距離時の収差図。
【図１８】実施例７の無限遠物体距離時の収差図。
【図１９】実施例８の無限遠物体距離時の収差図。
【図２０】実施例９の無限遠物体距離時の収差図。
【図２１】実施例１０の無限遠物体距離時の収差図。
【図２２】実施例１１の無限遠物体距離時の収差図。
【図２３】実施例１の最近接物体距離時の収差図。
【図２４】実施例２の最近接物体距離時の収差図。
【図２５】実施例３の最近接物体距離時の収差図。
【図２６】実施例４の最近接物体距離時の収差図。
【図２７】実施例５の最近接物体距離時の収差図。
【図２８】実施例６の最近接物体距離時の収差図。
【図２９】実施例７の最近接物体距離時の収差図。
【図３０】実施例８の最近接物体距離時の収差図。
【図３１】実施例９の最近接物体距離時の収差図。
【図３２】実施例１０の最近接物体距離時の収差図。
【図３３】実施例１１の最近接物体距離時の収差図。
【図３４】タイプＡの撮像光学装置を搭載したデジタル機器の概略構成例を示す模式図。
【図３５】タイプＢの撮像光学装置を搭載したデジタル機器の概略構成例を示す模式図。
【発明を実施するための形態】
【００４９】
以下、本発明に係る撮像レンズ，撮像光学装置，デジタル機器等を、タイプＡとタイプＢとに分けて説明する。タイプＡの発明に係る撮像レンズは、物体側より順に、物体側凸形状の少なくとも１枚の正レンズと、負レンズと、非球面を有する少なくとも１枚のレンズと、から構成され、前記正レンズと前記負レンズとが隣り合って配置されている。そして、以下の条件式(A1),(A2)及び(A3)を満足することを特徴としている。
0.1＜Ton／Dopn＜7  …(A1)
0.1＜(Rona−Ronb)／(Rona＋Ronb)＜1.5  …(A2)
0.3＜Y'／TL＜0.9  …(A3)
ただし、
Ton：最も物体側に位置する負レンズの光軸上厚み、
Dopn：最も物体側に位置する負レンズと前記負レンズの物体側に隣り合った正レンズとの間の光軸上間隔、
Rona：最も物体側に位置する負レンズの物体側面の近軸曲率半径、
Ronb：最も物体側に位置する負レンズの像側面の近軸曲率半径、
Y'：最大像高、
TL：最物体側レンズ面の面頂点から像面までの光軸上距離（平行平板を含む場合は空気換算長）、
である。
【００５０】
物体側凸形状の正レンズを物体側に配置することにより、全系のコンパクト化を図ることが可能となり、かつ、正レンズと負レンズを隣り合って配置することにより、正レンズで発生する色収差を負レンズで効率良く補正することが可能となる。また、像側に配置されたレンズに非球面を配置することにより、コンパクト化した際に問題となりやすいテレセントリック特性を容易に確保することが可能となる。
【００５１】
条件式(A1)の上限を上回ると、最物体側の負レンズのパワー（パワー：焦点距離の逆数で定義される量）を強めることができず、正レンズで発生する色収差，球面収差の補正が不十分となる。条件式(A1)の下限を下回ると、正レンズと負レンズとの間隔が広くなりすぎて、こちらも正レンズで発生する色収差，球面収差の補正を効率よく行うことができなくなる。結果として、いずれの場合もコントラストが低下してしまう。
【００５２】
条件式(A2)の上限を上回ると、正レンズを出射する光線と負レンズの物体側面の成す角度が大きくなりすぎて、像面湾曲やコマ収差、不要光が生じて画質劣化を招いてしまう。条件式(A2)の下限を下回ると、負パワーが弱まり、色収差，球面収差が補正不足となる。
【００５３】
条件式(A3)の上限を上回ると、偏芯誤差感度が大幅に高くなり、生産性が著しく低下してしまう。また、条件式(A3)の下限を下回ると、撮像レンズを搭載した撮像光学装置のサイズ（つまり、モジュールサイズ）の大型化につながってしまう。なお、条件式(A1)や条件式(A2)が著しい効果を奏するのは、条件式(A3)を満たすような超コンパクト領域である。つまり、条件式(A3)を満たさない場合には、最も物体側の正パワーが弱まり、最も物体側の負パワーが相対的に強くなるため、結果として、色収差や球面収差が過剰補正になってしまう。
【００５４】
上記特徴的構成によると、色収差や球面収差の良好な補正と全系の小型化との両立が可能となる。したがって、従来タイプよりも小型化を図りつつ、特に色収差の補正を良好に行うことができる撮像レンズ及びそれを備えた撮像光学装置を実現することが可能である。そして、その撮像光学装置を携帯電話，携帯情報端末等のデジタル機器に用いれば、デジタル機器に対し高性能の画像入力機能をコンパクトに付加することが可能となり、そのコンパクト化，高性能化，高機能化等に寄与することができる。こういった効果をバランス良く得るとともに、更に高い光学性能，小型化等を達成するための条件等を以下に説明する。
【００５５】
以下の条件式(A1a)を満たすことが望ましく、条件式(A1b)を満たすことが更に望ましい。
0.5＜Ton／Dopn＜6.0  …(A1a)
0.5＜Ton／Dopn＜5.5  …(A1b)
これらの条件式(A1a),(A1b)は、前記条件式(A1)が規定している条件範囲のなかでも、前記観点等に基づいた更に好ましい条件範囲を規定している。したがって、好ましくは条件式(A1a)、更に好ましくは条件式(A1b)を満たすことにより、上記効果をより一層大きくすることができる。
【００５６】
以下の条件式(A2a)を満足することが更に望ましい。
0.15＜(Rona−Ronb)／(Rona＋Ronb)＜0.9  …(A2a)
この条件式(A2a)は、前記条件式(A2)が規定している条件範囲のなかでも、前記観点等に基づいた更に好ましい条件範囲を規定している。したがって、好ましくは条件式(A2a)を満たすことにより、上記効果をより一層大きくすることができる。
【００５７】
以下の条件式(A3a)を満足することが更に望ましい。
0.6＜Y'／TL＜0.9  …(A3a)
この条件式(A3a)は、前記条件式(A3)が規定している条件範囲のなかでも、前記観点等に基づいた更に好ましい条件範囲を規定している。したがって、好ましくは条件式(A3a)を満たすことにより、上記効果をより一層大きくすることができる。
【００５８】
本発明に係る撮像レンズは、物体側より順に、物体側凸形状の正の第１レンズと、負の第２レンズと、第３レンズと、第４レンズと、非球面を少なくとも１面有する第５レンズと、から構成されることが望ましい。このレンズ５枚構成は、小型でありながら収差の良好に補正された撮像レンズを得るための本発明の基本構成の１つである。最物体側に物体側凸形状の正レンズを配置することで全系のコンパクト化を図ることができ、かつ、正の第１レンズで発生する色収差を負の第２レンズで効率良く補正することが可能である。また、最も像側に配置された第５レンズを非球面レンズとすることによって、コンパクト化した際に問題となるテレセントリック特性が確保しやすくなる。
【００５９】
本発明に係る撮像レンズは、物体側より順に、正の第１レンズと、物体側凸形状の正の第２レンズと、負の第３レンズと、第４レンズと、第５レンズと、非球面を少なくとも１面有する第６レンズと、から構成されることが望ましい。このレンズ６枚構成は、小型でありながら収差の良好に補正された撮像レンズを得るための本発明の基本構成の１つである。最物体側に２枚の正レンズを配置することで全系のコンパクト化を図りつつ、正のパワーを分散することができるため、製造誤差感度を低減することができる。そして、これらの正レンズで発生する色収差を負の第３レンズで効率良く補正することが可能である。また、最も像側に配置された第６レンズを非球面レンズとすることで、コンパクト化した際に問題となるテレセントリック特性が確保しやすくなる。
【００６０】
本発明に係る撮像レンズは、物体側より順に、物体側凸形状の正の第１レンズと、負の第２レンズと、正の第３レンズと、非球面を少なくとも１面有する第４レンズと、から構成され、以下の条件式(A4)を満足することが望ましい。
0.1＜T2／D12＜5  …(A4)
ただし、
T2：第２レンズの光軸上厚み、
D12：第１レンズと第２レンズとの間の光軸上間隔、
である。
【００６１】
このレンズ４枚構成は、小型でありながら収差の良好に補正された撮像レンズを得るための本発明の基本構成の１つである。最物体側に物体側凸形状の正レンズを配置することで全系のコンパクト化を図ることができ、かつ、正レンズで発生する色収差を負の第２レンズで効率良く補正することが可能である。また、最も像側に配置された第４レンズを非球面レンズとすることで、コンパクト化した際に問題となるテレセントリック特性が確保しやすくなる。
【００６２】
条件式(A4)の上限を上回ると、第２レンズの負パワーを強めることができず、第１レンズで発生する色収差，球面収差の補正が不十分となる。条件式(A4)の下限を下回ると、第１レンズと第２レンズの間隔が広くなりすぎて、こちらも第１レンズで発生する色収差，球面収差の補正を効率よく行うことができなくなる。結果として、いずれの場合もコントラストが低下してしまう。
【００６３】
以下の条件式(A4a)を満足することが更に望ましい。
0.5＜T2／D12＜4.5  …(A4a)
この条件式(A4a)は、前記条件式(A4)が規定している条件範囲のなかでも、前記観点等に基づいた更に好ましい条件範囲を規定している。したがって、好ましくは条件式(A4a)を満たすことにより、上記効果をより一層大きくすることができる。
【００６４】
前記非球面の形状が、光軸との交点以外の位置に変曲点を有する形状であることが望ましい。最物体側に位置する負レンズよりも像側のレンズが変曲点を有することで、像面へ入射する高画角の光線角度を抑制することができ、色シェーディングや周辺光量落ちをより抑えることができる。
【００６５】
最も物体側に位置する負レンズが像側凹形状を有することが望ましい。像側凹形状を有することで、前記負レンズを射出する光束を画角ごとに分離しやすくなるため、より像側のレンズで、非点収差や歪曲等の軸外収差の補正を効率的に行うことができる。
【００６６】
最も物体側に位置する負レンズが樹脂材料から成り、前記負レンズよりも物体側に開口絞りが位置し、以下の条件式(A5)を満足することが望ましい。
1.6＜Ndon＜2.2  …(A5)
ただし、
Ndon：最も物体側に位置する負レンズのｄ線に対する屈折率、
である。
【００６７】
開口絞りを所定の位置に配置することにより、前記負レンズの軸上色収差の補正効果を高めることができ、かつ前玉径を小さく抑えることが可能となる。条件式(A5)の条件を満たす樹脂材料は、材料中にフルオレン骨格を有するため、一般的に耐候性が非常に弱いが、条件式(A1)又は条件式(A4)を満たすことにより、ＵＶ照射への耐性を高めることが可能となる。条件式(A5)の上限を上回ると、可視光の短波長領域の透過率が低下し、レンズが黄色に着色するため、色バランスが崩れてしまう。条件式(A5)の下限を下回ると、ペッツバール和を抑えることができず非点収差が発生する上に、十分な光学パワーを有することができず光学系が大型化してしまう。
【００６８】
以下の条件式(A5a)を満足することが更に望ましい。
1.62＜Ndon＜1.7  …(A5a)
この条件式(A5a)は、前記条件式(A5)が規定している条件範囲のなかでも、前記観点等に基づいた更に好ましい条件範囲を規定している。したがって、好ましくは条件式(A5a)を満たすことにより、上記効果をより一層大きくすることができる。
【００６９】
最も像側に位置するレンズの物体側に隣り合って位置するレンズが、像側凸形状の正レンズであることが望ましい。像側凸形状とすることで、歪曲収差を十分に補正することができ、なおかつ、撮像面に対するテレセントリック性も高めることが可能となる。
【００７０】
物体側より順に、第１レンズ群と第２レンズ群と第３レンズ群とから構成され、前記第１レンズ群と前記第３レンズ群が像面に対して位置固定の状態で、前記第２レンズ群を光軸方向に移動することによりフォーカシングを行うことが望ましい。第１レンズ群と第３レンズ群を固定とし、第２レンズ群のみを駆動することで、球面収差や色収差，像面湾曲等を悪化させることなくフォーカシングを行うことが可能となる。またフォーカシング移動量を削減できるためアクチュエータの省スペース化が図れ、かつ、全長が不変となるため、光学ユニットを超コンパクト化することができる。さらに、レンズユニット内へのゴミの侵入を防止することができ、工程の廃止によるコストダウンや不良削減による環境負荷軽減も合わせて図ることができる。
【００７１】
物体側より順に、第１レンズ群と第２レンズ群とから構成され、前記第２レンズ群が像面に対して位置固定の状態で、前記第１レンズ群を光軸方向に移動することによりフォーカシングを行うことが望ましい。第２レンズ群を固定とし、第１レンズ群のみを駆動することで、球面収差や色収差，像面湾曲等を悪化させることなくフォーカシングを行うことが可能となる。また撮像素子近傍へのゴミの侵入を防止することができ、工程の廃止によるコストダウンや不良削減による環境負荷軽減も合わせて図ることができる。
【００７２】
以下の条件式(A6)を満足することが望ましい。
0.005＜｜Ton／fon｜＜0.15  …(A6)
ただし、
Ton：最も物体側に位置する負レンズの光軸上厚み、
fon：最も物体側に位置する負レンズの焦点距離、
である。
【００７３】
条件式(A6)の上限を上回ると、ペッツバール和が大きくなってしまうため非点隔差が増大するとともに、軸上色収差も増加してしまう。条件式(A6)の下限を下回ると、レンズ強度が不十分となり、レンズ保持や膜蒸着の際に割れや面形状変化を引き起こしてしまう。特に面形状変化が生じた場合には、球面収差によるコントラスト低下や像面湾曲に伴う画質劣化が生じてしまう。
【００７４】
以下の条件式(A6a)を満足することが更に望ましい。
0.01＜｜Ton／fon｜＜0.08  …(A6a)
この条件式(A6a)は、前記条件式(A6)が規定している条件範囲のなかでも、前記観点等に基づいた更に好ましい条件範囲を規定している。したがって、好ましくは条件式(A6a)を満たすことにより、上記効果をより一層大きくすることができる。
【００７５】
最も物体側に位置する正レンズと最も物体側に位置する負レンズとの間に、開口絞りが位置することが望ましい。開口絞りを上記所定の位置に配置することにより、正レンズに入射する光線高さと負レンズに入射する光線高さとを略同等にすることができ、球面収差や軸上色収差を十分に補正することが可能となる。
【００７６】
最像側レンズが像側凹の形状を有し、以下の条件式(A7)を満足することが望ましい。
0.01＜bf／TL＜0.4  …(A7)
ただし、
bf：最も像側に位置するレンズ面の面頂点から像面までの光軸上距離（平行平板を含む場合は空気換算長）、
である。
【００７７】
像側凹形状とすることで、いわゆるテレフォトタイプとなり、撮像レンズ全長の小型化には有利な構成となる。条件式(A7)の上限を上回ると、第１レンズのパワーが弱まり、光学全長が増大してしまう。また、条件式(A7)の下限を下回ると、最も像側に位置するレンズ面を通過する光束が非常に細くなるため、ゴミの写りこみ感度が非常に高くなってしまい、画質不良や対策コストアップを招いてしまう。さらに、条件式(A7)の範囲を外れた場合、最も物体側の正パワーが弱まり、最も物体側の負パワーが相対的に強くなるため、結果として、色収差や球面収差が過剰補正になってしまう。
【００７８】
以下の条件式(A7a)を満足することが更に望ましい。
0.1＜bf／TL＜0.3  …(A7a)
この条件式(A7a)は、前記条件式(A7)が規定している条件範囲のなかでも、前記観点等に基づいた更に好ましい条件範囲を規定している。したがって、好ましくは条件式(A7a)を満たすことにより、上記効果をより一層大きくすることができる。
【００７９】
以下の条件式(A8)を満足することが望ましい。
1＜Eon／Ton＜3  …(A8)
ただし、
Eon：最も物体側に位置する負レンズの前後面において、最大画角の光束のうち最も高い位置を通過する光線と各面との交点間の光軸方向の距離、
である。
【００８０】
条件式(A8)の上限を上回ると、面形状の転写性が悪化し、球面収差や像面湾曲が増大してしまう。また、条件式(A8)の下限を下回ると、十分な光学パワーを有することができず色収差が補正不足なり、光学系も大型化してしまう。
【００８１】
以下の条件式(A8a)を満足することが更に望ましい。
1.2＜Eon／Ton＜2.5  …(A8a)
この条件式(A8a)は、前記条件式(A8)が規定している条件範囲のなかでも、前記観点等に基づいた更に好ましい条件範囲を規定している。したがって、好ましくは条件式(A8a)を満たすことにより、上記効果をより一層大きくすることができる。
【００８２】
最も物体側に位置する負レンズの物体側面が凸形状を有することが望ましい。物体側面が凸形状となることで、前記負レンズの物体側に位置するレンズを出射する光線と前記負レンズの物体側面との成す角度を適切に抑え、像面湾曲やコマ収差の補正を十分に行うことが可能となり、かつ、不要光の発生を抑制することが可能となる。
【００８３】
最も物体側に位置する負レンズが射出圧縮成形法により成形されたものであることが望ましい。射出圧縮成形法でレンズ成形することにより、材料の流動性の悪さに伴って発生するウェルドを抑え、レンズ薄肉化の成形制約を取り除くことができるため、レンズ設計時の収差補正自由度を高めることが可能となる。
【００８４】
タイプＡの発明に係る撮像レンズは、画像入力機能付きデジタル機器（例えば携帯端末）用の撮像レンズとしての使用に適しており、これを撮像素子等と組み合わせることにより、被写体の映像を光学的に取り込んで電気的な信号として出力する撮像光学装置を構成することができる。撮像光学装置は、被写体の静止画撮影や動画撮影に用いられるカメラの主たる構成要素を成す光学装置であり、例えば、物体（すなわち被写体）側から順に、物体の光学像を形成する撮像レンズと、その撮像レンズにより形成された光学像を電気的な信号に変換する撮像素子と、を備えることにより構成される。そして、撮像素子の受光面（すなわち撮像面）上に被写体の光学像が形成されるように、前述した特徴的構成を有する撮像レンズが配置されることにより、小型・低コストで高い性能を有する撮像光学装置やそれを備えたデジタル機器（例えば携帯端末）を実現することができる。
【００８５】
カメラの例としては、デジタルカメラ，ビデオカメラ，監視カメラ，車載カメラ，テレビ電話用カメラ等が挙げられ、また、パーソナルコンピュータ，デジタル機器（例えば、携帯電話，モバイルコンピュータ等の小型で携帯可能な情報機器端末），これらの周辺機器（スキャナー，プリンター等），その他のデジタル機器等に内蔵又は外付けされるカメラが挙げられる。これらの例から分かるように、撮像光学装置を用いることによりカメラを構成することができるだけでなく、各種機器に撮像光学装置を搭載することによりカメラ機能を付加することが可能である。例えば、カメラ付き携帯電話等の画像入力機能付きデジタル機器を構成することが可能である。
【００８６】
図３４に、画像入力機能付きデジタル機器の一例として、デジタル機器ＤＵの概略構成例を模式的断面で示す。図３４に示すデジタル機器ＤＵに搭載されている撮像光学装置ＬＵは、物体（すなわち被写体）側から順に、物体の光学像（像面）ＩＭを形成する撮像レンズＬＮ（ＡＸ：光軸）と、平行平板ＰＴ（必要に応じて配置される光学的ローパスフィルター，赤外（ＩＲ）カットフィルター等の光学フィルター；撮像素子ＳＲのカバーガラス等に相当する。）と、撮像レンズＬＮにより受光面（撮像面）ＳＳ上に形成された光学像ＩＭを電気的な信号に変換する撮像素子ＳＲと、を備えている。この撮像光学装置ＬＵで画像入力機能付きデジタル機器ＤＵを構成する場合、通常そのボディ内部に撮像光学装置ＬＵを配置することになるが、カメラ機能を実現する際には必要に応じた形態を採用することが可能である。例えば、ユニット化した撮像光学装置ＬＵをデジタル機器ＤＵの本体に対して着脱自在又は回動自在に構成することが可能である。
【００８７】
撮像素子ＳＲとしては、例えば複数の画素を有するＣＣＤ型イメージセンサ，ＣＭＯＳ型イメージセンサ等の固体撮像素子が用いられる。撮像レンズＬＮは、撮像素子ＳＲの光電変換部である受光面ＳＳ上に被写体の光学像ＩＭが形成されるように設けられているので、撮像レンズＬＮによって形成された光学像ＩＭは、撮像素子ＳＲによって電気的な信号に変換される。
【００８８】
デジタル機器ＤＵは、撮像光学装置ＬＵの他に、信号処理部１，制御部２，メモリ３，操作部４，表示部５等を備えている。撮像素子ＳＲで生成した信号は、信号処理部１で所定のデジタル画像処理や画像圧縮処理等が必要に応じて施され、デジタル映像信号としてメモリ３（半導体メモリ，光ディスク等）に記録されたり、場合によってはケーブルを介したり赤外線信号等に変換されたりして他の機器に伝送される（例えば携帯電話の通信機能）。制御部２はマイクロコンピュータから成っており、撮影機能（静止画撮影機能，動画撮影機能等），画像再生機能等の機能の制御；フォーカシングのためのレンズ移動機構の制御等を集中的に行う。例えば、被写体の静止画撮影，動画撮影のうちの少なくとも一方を行うように、制御部２により撮像光学装置ＬＵに対する制御が行われる。表示部５は液晶モニター等のディスプレイを含む部分であり、撮像素子ＳＲによって変換された画像信号あるいはメモリ３に記録されている画像情報を用いて画像表示を行う。操作部４は、操作ボタン（例えばレリーズボタン），操作ダイヤル（例えば撮影モードダイヤル）等の操作部材を含む部分であり、操作者が操作入力した情報を制御部２に伝達する。
【００８９】
信号処理部１は、撮像光学装置ＬＵから得られる画像データを電気的に加工する画像処理部１ａを有している。画像処理部１ａを有することで、光学的に補正しきれない収差や周辺光量低下を軽減することが可能となる。
【００９０】
上記画像処理部１ａで画像の歪みを補正することが望ましい。画像の歪みを補正することにより、特に像面に近いレンズによる収差負担が軽減されるため、射出瞳位置の制御が容易となり、レンズ形状を加工性の良い形状にすることもできる。
【００９１】
上記画像処理部１ａで焦点深度を拡大することが望ましい。焦点深度を拡大することにより、部品バラツキを許容できるようになるため、生産性を高めることができる。また駆動装置を用いる場合には、駆動装置の位置誤差や偏芯誤差を吸収することができる。
【００９２】
撮像レンズＬＮは、前述したように、物体側より順に、物体側凸形状の少なくとも１枚の正レンズと、負レンズと、非球面を有する少なくとも１枚のレンズと、から構成され、前記正レンズと前記負レンズとが隣り合って位置する構成になっており、撮像素子ＳＲの受光面ＳＳ上に光学像ＩＭを形成する。撮像レンズＬＮで形成されるべき光学像ＩＭは、例えば、撮像素子ＳＲの画素ピッチにより決定される所定の遮断周波数特性を有する光学的ローパスフィルター（図３４中の平行平板ＰＴに相当する。）を通過することにより、電気的な信号に変換される際に発生するいわゆる折り返しノイズが最小化されるように、空間周波数特性が調整される。これにより、色モアレの発生を抑えることができる。ただし、解像限界周波数周辺の性能を抑えてやれば、光学的ローパスフィルターを用いなくてもノイズの発生を懸念する必要がなく、また、ノイズがあまり目立たない表示系（例えば、携帯電話の液晶画面等）を用いてユーザーが撮影や鑑賞を行う場合には、光学的ローパスフィルターを用いる必要はない。
【００９３】
撮像レンズＬＮのフォーカスは、アクチュエータを用いてレンズユニット全体を光軸ＡＸ方向に移動させてもよいし、レンズの一部を光軸ＡＸ方向に移動させてもよい。例えば、撮像レンズＬＮのフォーカスは、前記２群構成における第１レンズ群、又は３群構成における第２レンズ群を、アクチュエータで光軸ＡＸ方向にフォーカス移動させれば、前述した良好な収差補正、コンパクト化、ゴミ侵入防止等が可能である。また、レンズを光軸方向に移動させてフォーカスさせなくても、撮像素子ＳＲに記録された情報から、ソフトウェアによって焦点深度を深くする処理等（例えば、前述した画像処理部１ａでの焦点深度の拡大）を行うことによって、フォーカス機能を実現してもよい。その場合、アクチュエータは必要なく、小型化と低コスト化を同時に実現することができる。
【００９４】
次に、第１〜第１１の実施の形態を挙げて、撮像レンズＬＮの具体的な光学構成を更に詳しく説明する。図１〜図１１に、無限遠合焦状態にある撮像レンズＬＮ（単焦点レンズ）の第１〜第１１の実施の形態を光学断面でそれぞれ示す。また、無限遠から最近接距離へのフォーカシングにおけるフォーカス群の移動を、図１〜図１１中の矢印ｍＦで示す。なお、以下に説明するフォーカシング方式はマクロ性能を考慮した場合により好ましい構成であり、レンズ駆動アクチュエータやモジュールの構成次第では、必ずしもこれらのフォーカシング方式に限らず、全体繰り出しや後群繰り出しとしてももちろん構わない。
【００９５】
第１の実施の形態の撮像レンズＬＮ（図１）は、物体側から順に、正の第１レンズＬ１と、開口絞りＳＴと、負の第２レンズＬ２と、負の第３レンズＬ３と、正の第４レンズＬ４と、負の第５レンズＬ５と、から構成されており、正の第１レンズ群Ｇｒ１が第１レンズＬ１と第２レンズＬ２から構成されており、正の第２レンズ群Ｇｒ２が第３レンズＬ３と第４レンズＬ４から構成されており、負の第３レンズ群Ｇｒ３が第５レンズＬ５から構成されている。撮像レンズＬＮの像側に配置されている平行平板ＰＴは、光学的ローパスフィルター，ＩＲカットフィルター，固体撮像素子のシールガラス等を想定したものである。撮像レンズＬＮを構成している全てのレンズ面は非球面であり、第１〜第３，第５レンズＬ１〜Ｌ３，Ｌ５はプラスチック材料、第４レンズＬ４はガラス材料を、光学材料としてそれぞれ想定している。また、オートフォーカスやマクロ切り替え機能等での焦点位置合わせを、第３，第４レンズＬ３，Ｌ４（第２レンズ群Ｇｒ２）を移動させて行うインナーフォーカスを想定している。
【００９６】
第２の実施の形態の撮像レンズＬＮ（図２）は、物体側から順に、正の第１レンズＬ１と、開口絞りＳＴと、負の第２レンズＬ２と、正の第３レンズＬ３と、正の第４レンズＬ４と、負の第５レンズＬ５と、から構成されており、正の第１レンズ群Ｇｒ１が第１レンズＬ１と第２レンズＬ２と第３レンズＬ３から構成されており、負の第２レンズ群Ｇｒ２が第４レンズＬ４と第５レンズＬ５から構成されている。撮像レンズＬＮの像側に配置されている平行平板ＰＴは、光学的ローパスフィルター，ＩＲカットフィルター，固体撮像素子のシールガラス等を想定したものである。撮像レンズＬＮを構成している全てのレンズ面は非球面であり、全てのレンズはプラスチック材料を光学材料として想定している。また、オートフォーカスやマクロ切り替え機能等での焦点位置合わせを、第１〜第３レンズＬ１〜Ｌ３（第１レンズ群Ｇｒ１）を移動させて行う前群繰り出しフォーカスを想定している。
【００９７】
第３の実施の形態の撮像レンズＬＮ（図３）は、物体側から順に、正の第１レンズＬ１と、開口絞りＳＴと、負の第２レンズＬ２と、正の第３レンズＬ３と、正の第４レンズＬ４と、負の第５レンズＬ５と、から構成されており、正の第１レンズ群Ｇｒ１が第１レンズＬ１と第２レンズＬ２から構成されており、正の第２レンズ群Ｇｒ２が第３レンズＬ３から構成されており、負の第３レンズ群Ｇｒ３が第４レンズＬ４と第５レンズＬ５から構成されている。撮像レンズＬＮの像側に配置されている平行平板ＰＴは、光学的ローパスフィルター，ＩＲカットフィルター，固体撮像素子のシールガラス等を想定したものである。撮像レンズＬＮを構成している全てのレンズ面は非球面であり、全てのレンズはプラスチック材料を光学材料として想定している。また、オートフォーカスやマクロ切り替え機能等での焦点位置合わせを、第３レンズＬ３（第２レンズ群Ｇｒ２）を移動させて行うインナーフォーカスを想定している。
【００９８】
第４の実施の形態の撮像レンズＬＮ（図４）は、物体側から順に、正の第１レンズＬ１と、開口絞りＳＴと、負の第２レンズＬ２と、正の第３レンズＬ３と、正の第４レンズＬ４と、負の第５レンズＬ５と、から構成されており、正の第１レンズ群Ｇｒ１が第１レンズＬ１と第２レンズＬ２から構成されており、正の第２レンズ群Ｇｒ２が第３レンズＬ３と第４レンズＬ４から構成されており、負の第３レンズ群Ｇｒ３が第５レンズＬ５から構成されている。撮像レンズＬＮの像側に配置されている平行平板ＰＴは、光学的ローパスフィルター，ＩＲカットフィルター，固体撮像素子のシールガラス等を想定したものである。撮像レンズＬＮを構成している全てのレンズ面は非球面であり、全てのレンズはプラスチック材料を光学材料として想定している。また、オートフォーカスやマクロ切り替え機能等での焦点位置合わせを、第３，第４レンズＬ３，Ｌ４（第２レンズ群Ｇｒ２）を移動させて行うインナーフォーカスを想定している。
【００９９】
第５の実施の形態の撮像レンズＬＮ（図５）は、物体側から順に、正の第１レンズＬ１と、開口絞りＳＴと、負の第２レンズＬ２と、正の第３レンズＬ３と、正の第４レンズＬ４と、負の第５レンズＬ５と、から構成されており、正の第１レンズ群Ｇｒ１が第１レンズＬ１と第２レンズＬ２から構成されており、正の第２レンズ群Ｇｒ２が第３レンズＬ３から構成されており、負の第３レンズ群Ｇｒ３が第４レンズＬ４と第５レンズＬ５から構成されている。撮像レンズＬＮの像側に配置されている平行平板ＰＴは、光学的ローパスフィルター，ＩＲカットフィルター，固体撮像素子のシールガラス等を想定したものである。撮像レンズＬＮを構成している全てのレンズ面は非球面であり、第１，第２，第４，第５レンズＬ１，Ｌ２，Ｌ４，Ｌ５はプラスチック材料、第３レンズＬ３はガラス材料を、光学材料としてそれぞれ想定している。また、オートフォーカスやマクロ切り替え機能等での焦点位置合わせを、第３レンズＬ３（第２レンズ群Ｇｒ２）を移動させて行うインナーフォーカスを想定している。
【０１００】
第６の実施の形態の撮像レンズＬＮ（図６）は、物体側から順に、正の第１レンズＬ１と、正の第２レンズＬ２と、開口絞りＳＴと、負の第３レンズＬ３と、正の第４レンズＬ４と、正の第５レンズＬ５と、負の第６レンズＬ６と、から構成されており、正の第１レンズ群Ｇｒ１が第１レンズＬ１と第２レンズＬ２と第３レンズＬ３から構成されており、正の第２レンズ群Ｇｒ２が第４レンズＬ４と第５レンズＬ５から構成されており、負の第３レンズ群Ｇｒ３が第６レンズＬ６から構成されている。撮像レンズＬＮの像側に配置されている平行平板ＰＴは、光学的ローパスフィルター，ＩＲカットフィルター，固体撮像素子のシールガラス等を想定したものである。撮像レンズＬＮを構成している全てのレンズ面は非球面であり、全てのレンズはプラスチック材料を光学材料として想定している。また、オートフォーカスやマクロ切り替え機能等での焦点位置合わせを、第４，第５レンズＬ４，Ｌ５（第２レンズ群Ｇｒ２）を移動させて行うインナーフォーカスを想定している。
【０１０１】
第７の実施の形態の撮像レンズＬＮ（図７）は、物体側から順に、正の第１レンズＬ１と、開口絞りＳＴと、負の第２レンズＬ２と、正の第３レンズＬ３と、正の第４レンズＬ４と、負の第５レンズＬ５と、から構成されており、正の第１レンズ群Ｇｒ１が第１レンズＬ１と第２レンズＬ２から構成されており、正の第２レンズ群Ｇｒ２が第３レンズＬ３から構成されており、負の第３レンズ群Ｇｒ３が第４レンズＬ４と第５レンズＬ５から構成されている。撮像レンズＬＮの像側に配置されている平行平板ＰＴは、光学的ローパスフィルター，ＩＲカットフィルター，固体撮像素子のシールガラス等を想定したものである。撮像レンズＬＮを構成している全てのレンズ面は非球面であり、全てのレンズはプラスチック材料を光学材料として想定している。また、オートフォーカスやマクロ切り替え機能等での焦点位置合わせを、第３レンズＬ３（第２レンズ群Ｇｒ２）を移動させて行うインナーフォーカスを想定している。
【０１０２】
第８の実施の形態の撮像レンズＬＮ（図８）は、物体側から順に、正の第１レンズＬ１と、開口絞りＳＴと、負の第２レンズＬ２と、正の第３レンズＬ３と、正の第４レンズＬ４と、負の第５レンズＬ５と、から構成されており、正の第１レンズ群Ｇｒ１が第１レンズＬ１と第２レンズＬ２から構成されており、正の第２レンズ群Ｇｒ２が第３レンズＬ３と第４レンズＬ４から構成されており、負の第３レンズ群Ｇｒ３が第５レンズＬ５から構成されている。撮像レンズＬＮの像側に配置されている平行平板ＰＴは、光学的ローパスフィルター，ＩＲカットフィルター，固体撮像素子のシールガラス等を想定したものである。撮像レンズＬＮを構成している全てのレンズ面は非球面であり、全てのレンズはプラスチック材料を光学材料として想定している。また、オートフォーカスやマクロ切り替え機能等での焦点位置合わせを、第３，第４レンズＬ３，Ｌ４（第２レンズ群Ｇｒ２）を移動させて行うインナーフォーカスを想定している。
【０１０３】
第９の実施の形態の撮像レンズＬＮ（図９）は、物体側から順に、開口絞りＳＴと、正の第１レンズＬ１と、負の第２レンズＬ２と、負の第３レンズＬ３と、正の第４レンズＬ４と、負の第５レンズＬ５と、から構成されており、正の第１レンズ群Ｇｒ１が第１レンズＬ１と第２レンズＬ２から構成されており、正の第２レンズ群Ｇｒ２が第３レンズＬ３と第４レンズＬ４から構成されており、負の第３レンズ群Ｇｒ３が第５レンズＬ５から構成されている。撮像レンズＬＮの像側に配置されている平行平板ＰＴは、光学的ローパスフィルター，ＩＲカットフィルター，固体撮像素子のシールガラス等を想定したものである。撮像レンズＬＮを構成している全てのレンズ面は非球面であり、全てのレンズはプラスチック材料を光学材料として想定している。また、オートフォーカスやマクロ切り替え機能等での焦点位置合わせを、第３，第４レンズＬ３，Ｌ４（第２レンズ群Ｇｒ２）を移動させて行うインナーフォーカスを想定している。
【０１０４】
第１０の実施の形態の撮像レンズＬＮ（図１０）は、物体側から順に、正の第１レンズＬ１と、開口絞りＳＴと、負の第２レンズＬ２と、負の第３レンズＬ３と、正の第４レンズＬ４と、負の第５レンズＬ５と、から構成されており、正の第１レンズ群Ｇｒ１が第１レンズＬ１と第２レンズＬ２から構成されており、正の第２レンズ群Ｇｒ２が第３レンズＬ３と第４レンズＬ４から構成されており、負の第３レンズ群Ｇｒ３が第５レンズＬ５から構成されている。撮像レンズＬＮの像側に配置されている平行平板ＰＴは、光学的ローパスフィルター，ＩＲカットフィルター，固体撮像素子のシールガラス等を想定したものである。撮像レンズＬＮを構成している全てのレンズ面は非球面であり、全てのレンズはプラスチック材料を光学材料として想定している。また、オートフォーカスやマクロ切り替え機能等での焦点位置合わせを、第３，第４レンズＬ３，Ｌ４（第２レンズ群Ｇｒ２）を移動させて行うインナーフォーカスを想定している。
【０１０５】
第１１の実施の形態の撮像レンズＬＮ（図１１）は、物体側から順に、開口絞りＳＴと、正の第１レンズＬ１と、負の第２レンズＬ２と、正の第３レンズＬ３と、負の第４レンズＬ４と、から構成されており、正の第１レンズ群Ｇｒ１が第１レンズＬ１と第２レンズＬ２から構成されており、正の第２レンズ群Ｇｒ２が第３レンズＬ３から構成されており、負の第３レンズ群Ｇｒ３が第４レンズＬ４から構成されている。撮像レンズＬＮの像側に配置されている平行平板ＰＴは、光学的ローパスフィルター，ＩＲカットフィルター，固体撮像素子のシールガラス等を想定したものである。撮像レンズＬＮを構成している全てのレンズ面は非球面であり、全てのレンズはプラスチック材料を光学材料として想定している。また、オートフォーカスやマクロ切り替え機能等での焦点位置合わせを、第３レンズＬ３（第２レンズ群Ｇｒ２）を移動させて行うインナーフォーカスを想定している。
【０１０６】
次に、タイプＢの発明に係る撮像レンズ，撮像光学装置，デジタル機器等を説明する。タイプＢの発明に係る撮像レンズは、物体側より順に、第１レンズ群，第２レンズ群及び第３レンズ群から構成され、前記第１レンズ群と前記第３レンズ群が像面に対して位置固定の状態で、前記第２レンズ群を光軸方向に移動することによりフォーカシングを行う単焦点の撮像レンズであって、前記第１レンズ群が少なくとも１枚の正レンズと少なくとも１枚の負レンズとを含み、前記第２レンズ群が少なくとも１枚の正レンズを含み、前記第３レンズ群が光軸との交点以外の位置に変曲点を有する非球面形状のレンズを少なくとも１枚含み、全体として５枚以上のレンズで構成されている。そして、以下の条件式(B1),(B2)及び(B3)を満足することを特徴としている。
0.05＜(Da＋Db)／TL＜0.8  …(B1)
0.02＜Dam／TL＜0.3  …(B2)
0.3＜Y'／TL＜0.9  …(B3)
ただし、
Da：無限遠物体距離時の第１レンズ群の最も像側の面から第２レンズ群の最も物体側の面までの光軸上距離、
Db：無限遠物体距離時の第２レンズ群の最も像側の面から第３レンズ群の最も物体側の面までの光軸上距離、
TL：最物体側レンズ面の面頂点から像面までの光軸上距離（平行平板を含む場合は空気換算長）、
Dam：最近接物体距離時の第１レンズ群の最も像側の面から第２レンズ群の最も物体側の面までの光軸上距離、
Y'：最大像高、
である。
【０１０７】
第１レンズ群と第３レンズ群を固定とし、第２レンズ群のみを駆動することで、像面湾曲を悪化させることなくフォーカシングを行うことが可能となる。これは、第２レンズ群でフォーカシングすることにより、第３レンズ群内の変曲点を有する非球面形状レンズへ入射する光束を、物体距離に関係なく略同等の光線位置へと導くことができるため、周辺像面湾曲の変動を抑えることができるためである。また全長が不変となるため、光学ユニットを超コンパクト化することができる。さらに機構構造上、固定群である第１レンズ群と第３レンズ群でレンズユニット内部を封止することが可能であるため、レンズユニット内への外部ゴミの侵入を防止することができ、工程の廃止によるコストダウンや不良削減による環境負荷軽減も合わせて図ることができる。第１レンズ群が少なくとも１枚の正レンズと負レンズを有することで、球面収差と軸上色収差の補正を効果的に行い、第２レンズ群が正レンズを少なくとも１枚有することで、像面湾曲を良好に補正することができる。また、第３レンズ群が変曲点を有することで、像面へ入射する高画角の光線角度を抑制することができ、色シェーディングや周辺光量落ちを抑えることができる。
【０１０８】
条件式(B1)の上限を上回ると、第２レンズ群のパワー（パワー：焦点距離の逆数で定義される量）が不十分となり、像面湾曲補正が不十分となるためフォーカシング性能が劣化してしまう。条件式(B1)の下限を下回ると、第２レンズ群のパワーが強くなりすぎ、フォーカシング時のアクチュエータの偏芯、特にチルト誤差による像面の非対称性が生じ画質が劣化してしまう。
【０１０９】
条件式(B2)の上限を上回ると、第２レンズ群のパワーが強くなりすぎ、フォーカシング時のアクチュエータの偏芯、特にチルト誤差による像面の非対称性が生じ画質が劣化してしまう。条件式(B2)の下限を下回ると、フォーカシング時の周辺像面湾曲の補正が十分行えず、またレンズ保持機構が複雑化するためモジュールが径方向に大型化してしまう。なお、条件式(B2)の算出にあたっては、撮像レンズとして一般的に求められる、最近接物体距離１０ｃｍ程度にて計算することが望ましい。
【０１１０】
条件式(B3)の上限を上回ると、偏芯誤差感度が大幅に高くなり、生産性が著しく低下してしまう。また、条件式(B3)の下限を下回ると、撮像レンズを搭載した撮像光学装置のサイズ（つまり、モジュールサイズ）の大型化につながってしまう。なお、条件式(B1)や条件式(B2)が著しい効果を奏するのは、条件式(B3)を満たすような超コンパクト領域である。つまり、条件式(B3)を満たさない場合には、最も物体側の正パワーが弱まり、最も物体側の負パワーが相対的に強くなるため、結果として、色収差や球面収差が過剰補正になってしまう。
【０１１１】
上記特徴的構成によると、従来タイプよりも小型化と高性能化を図りつつ、他の仕様や生産性に影響を与えることもなく、かつ、近年量産工程で大きな問題となっている付着ゴミへの対応を一挙に解決することの可能な撮像レンズ及びそれを備えた撮像光学装置を実現することが可能である。そして、その撮像光学装置を携帯電話，携帯情報端末等のデジタル機器に用いれば、デジタル機器に対し高性能の画像入力機能をコンパクトに付加することが可能となり、そのコンパクト化，高性能化，高機能化等に寄与することができる。こういった効果をバランス良く得るとともに、更に高い光学性能，小型化等を達成するための条件等を以下に説明する。
【０１１２】
以下の条件式(B1a)を満足することが更に望ましい。
0.1＜(Da＋Db)／TL＜0.5  …(B1a)
この条件式(B1a)は、前記条件式(B1)が規定している条件範囲のなかでも、前記観点等に基づいた更に好ましい条件範囲を規定している。したがって、好ましくは条件式(B1a)を満たすことにより、上記効果をより一層大きくすることができる。
【０１１３】
以下の条件式(B2a)を満足することが更に望ましい。
0.095＜Dam／TL＜0.2  …(B2a)
この条件式(B2a)は、前記条件式(B2)が規定している条件範囲のなかでも、前記観点等に基づいた更に好ましい条件範囲を規定している。したがって、好ましくは条件式(B2a)を満たすことにより、上記効果をより一層大きくすることができる。
【０１１４】
以下の条件式(B3a)を満足することが更に望ましい。
0.55＜Y'／TL＜0.9  …(B3a)
この条件式(B3a)は、前記条件式(B3)が規定している条件範囲のなかでも、前記観点等に基づいた更に好ましい条件範囲を規定している。したがって、好ましくは条件式(B3a)を満たすことにより、上記効果をより一層大きくすることができる。
【０１１５】
本発明に係る撮像レンズは、前記第１レンズ群が全体として正の光学パワーを有し、前記第２レンズ群が全体として正の光学パワーを有し、前記第３レンズ群が全体として負の光学パワーを有することが望ましい。このように正正負のパワー構成を採ることにより、いわゆるテレフォトタイプとなり、撮像レンズ全長の小型化に有利な構成となるため、条件式(B3)を満たす上で望ましい。具体的には、第１レンズ群を正レンズ群とすることで光学全長を短縮することができ、第２レンズ群を正レンズ群とすることで第１レンズ群内のレンズ有効径を抑制することができる。また、第３レンズ群を負レンズ群とすることで主点位置を物体側に移動することができるため、光学全長を短縮でき、かつ倍率色収差を効果的に補正することができる。
【０１１６】
本発明に係る撮像レンズは、物体側より順に、物体側凸形状の正の第１レンズと、像側凹形状の負の第２レンズと、第３レンズと、像側凸形状の正の第４レンズと、光軸との交点以外の位置に変曲点を有する非球面形状の負の第５レンズと、から成ることが望ましい。また、本発明に係る撮像レンズは、前記第１レンズ群が物体側より順に正の第１レンズと負の第２レンズとの２枚から成り、前記第２レンズ群が物体側より順に第３レンズと正の第４レンズとの２枚から成り、前記第３レンズ群が負の第５レンズから成ることが望ましい。最物体側に物体側凸形状の正レンズを配置することで全系のコンパクト化を図ることができ、かつ、正レンズで発生する色収差を負の第２レンズで効率良く補正することが可能である。また、第２レンズ群を２枚で構成し、第４レンズに正パワーを持たせることで、良好なテレセントリック性やマクロ性能を得ることができるようになる。さらに、最も像側に配置された第５レンズを変曲点を有する非球面とすることで、コンパクト化した際に問題となる像面へ入射する高画角の光線角度を抑制することができ、色シェーディングや周辺光量落ちを抑えることができる。
【０１１７】
以下の条件式(B4)を満足することが望ましい。
0.01＜Tmin／f＜0.2  …(B4)
ただし、
Tmin：構成するレンズの光軸上厚みのうちの最小値、
f：無限遠物体距離時の全系の焦点距離、
である。
【０１１８】
条件式(B4)の上限を上回ると、フォーカシング時の周辺像面の補正が十分行えず、またレンズ保持機構が複雑化するためモジュールが径方向に大型化してしまう。また、条件式(B4)の下限を下回ると、成形時の金型からレンズ面への転写性が著しく悪くなり、面精度が悪化するため、高周波成分のコントラストが低下し、画質が劣化してしまう。
【０１１９】
以下の条件式(B4a)を満足することが更に望ましい。
0.02＜Tmin／f＜0.075  …(B4a)
この条件式(B4a)は、前記条件式(B4)が規定している条件範囲のなかでも、前記観点等に基づいた更に好ましい条件範囲を規定している。したがって、好ましくは条件式(B4a)を満たすことにより、上記効果をより一層大きくすることができる。
【０１２０】
以下の条件式(B5)を満足することが望ましい。
0.005＜｜Tmin／ftmin｜＜0.15  …(B5)
ただし、
Tmin：構成するレンズの光軸上厚みのうちの最小値、
ftmin：光軸上厚みが最小値となるレンズの焦点距離、
である。
【０１２１】
条件式(B5)の上限を上回ると、第２レンズ群のフォーカシング移動量が減少するため、結果としてパワーが強くなりすぎ、フォーカシング時のアクチュエータの偏芯、特にチルト誤差による像面の非対称性が生じ画質が劣化してしまう。また、条件式(B5)の下限を下回ると、レンズ成形時の面精度の悪化に加えて、保持や接着の際にレンズに歪みが生じ、球面収差によるコントラスト低下や像面湾曲に伴う画質劣化が生じてしまう。
【０１２２】
以下の条件式(B5a)を満足することが更に望ましい。
0.01＜｜Tmin／ftmin｜＜0.1  …(B5a)
この条件式(B5a)は、前記条件式(B5)が規定している条件範囲のなかでも、前記観点等に基づいた更に好ましい条件範囲を規定している。したがって、好ましくは条件式(B5a)を満たすことにより、上記効果をより一層大きくすることができる。
【０１２３】
以下の条件式(B6)を満足することが望ましい。
0.01＜E1／f1＜0.2  …(B6)
ただし、
E1：第１レンズの前後面において、無限遠物体距離時の最大画角の光束のうち最も高い位置を通過する光線と各面との交点間の光軸方向の距離、
f1：第１レンズの焦点距離、
である。
【０１２４】
条件式(B6)の上限を上回ると、第１レンズの正パワーを強めることが出来ず、十分なコンパクト化が図れない。また、条件式(B6)の下限を下回ると、レンズ強度が不十分となり、レンズ保持や膜蒸着の際に割れや面形状変化を引き起こすため、球面収差によるコントラスト低下や像面湾曲に伴う画質劣化が生じてしまう。
【０１２５】
以下の条件式(B6a)を満足することが更に望ましい。
0.02＜E1／f1＜0.15  …(B6a)
この条件式(B6a)は、前記条件式(B6)が規定している条件範囲のなかでも、前記観点等に基づいた更に好ましい条件範囲を規定している。したがって、好ましくは条件式(B6a)を満たすことにより、上記効果をより一層大きくすることができる。
【０１２６】
以下の条件式(B7)を満足することが望ましい。
0.005＜｜T2／f2｜＜0.15  …(B7)
ただし、
T2：第２レンズの光軸上厚み、
f2：第２レンズの焦点距離、
である。
【０１２７】
条件式(B7)の上限を上回ると、ペッツバール和が大きくなってしまうため非点隔差が増大するとともに、軸上色収差も増加してしまう。また、条件式(B7)の下限を下回ると、レンズ強度が不十分となり、レンズ保持や膜蒸着の際に割れや面形状変化を引き起こすため、球面収差によるコントラスト低下や像面湾曲に伴う画質劣化が生じてしまう。
【０１２８】
以下の条件式(B7a)を満足することが更に望ましい。
0.01＜｜T2／f2｜＜0.1  …(B7a)
この条件式(B7a)は、前記条件式(B7)が規定している条件範囲のなかでも、前記観点等に基づいた更に好ましい条件範囲を規定している。したがって、好ましくは条件式(B7a)を満たすことにより、上記効果をより一層大きくすることができる。
【０１２９】
以下の条件式(B8)を満足することが望ましい。
0.01＜E4／f4＜0.3  …(B8)
ただし、
E4：第４レンズの前後面において、無限遠物体距離時の最大画角の光束のうち最も高い位置を通過する光線と各面との交点間の光軸方向の距離、
f4：第４レンズの焦点距離、
である。
【０１３０】
条件式(B8)の上限を上回ると、第２レンズ群のパワーが不十分となり、フォーカシング性能が劣化してしまう。また、条件式(B8)の下限を下回ると、レンズ強度が不十分となり、レンズ保持や膜蒸着の際に割れや面形状変化を引き起こすため、球面収差によるコントラスト低下や像面湾曲に伴う画質劣化が生じてしまう。
【０１３１】
以下の条件式(B8a)を満足することが更に望ましい。
0.02＜E4／f4＜0.2  …(B8a)
この条件式(B8a)は、前記条件式(B8)が規定している条件範囲のなかでも、前記観点等に基づいた更に好ましい条件範囲を規定している。したがって、好ましくは条件式(B8a)を満たすことにより、上記効果をより一層大きくすることができる。
【０１３２】
以下の条件式(B9)を満足することが望ましい。
0.002＜｜T3／f3｜＜2  …(B9)
ただし、
T3：第３レンズの光軸上厚み、
f3：第３レンズの焦点距離、
である。
【０１３３】
条件式(B9)の上限を上回ると、フォーカシング時の周辺像面の補正が十分行えず、またレンズ保持機構が複雑化するためモジュールが径方向に大型化してしまう。条件式(B9)の下限を下回ると、レンズ強度が不十分となり、レンズ保持や膜蒸着の際に割れや面形状変化を引き起こすため、球面収差によるコントラスト低下や像面湾曲に伴う画質劣化が生じてしまう。
【０１３４】
以下の条件式(B9a)を満足することが更に望ましい。
0.004＜｜T3／f3｜＜1  …(B9a)
この条件式(B9a)は、前記条件式(B9)が規定している条件範囲のなかでも、前記観点等に基づいた更に好ましい条件範囲を規定している。したがって、好ましくは条件式(B9a)を満たすことにより、上記効果をより一層大きくすることができる。
【０１３５】
以下の条件式(B10)を満足することが望ましい。
0.01＜｜T5／f5｜＜2  …(B10)
ただし、
T5：第５レンズの光軸上厚み、
f5：第５レンズの焦点距離、
である。
【０１３６】
条件式(B10)の上限を上回ると、テレフォトタイプにすることができなくなるため、撮像レンズ全長の増大につながる。また、条件式(B10)の下限を下回ると、レンズ成形時にウェルドが発生し、不要光や外観不良の原因となってしまう。
【０１３７】
以下の条件式(B10a)を満足することが更に望ましい。
0.02＜｜T5／f5｜＜0.8  …(B10a)
この条件式(B10a)は、前記条件式(B10)が規定している条件範囲のなかでも、前記観点等に基づいた更に好ましい条件範囲を規定している。したがって、好ましくは条件式(B10a)を満たすことにより、上記効果をより一層大きくすることができる。
【０１３８】
以下の条件式(B11)及び(B12)を満足することが望ましい。
0.1＜E4／T4＜1.5  …(B11)
0.5＜E5／T5＜10  …(B12)
ただし、
T4：第４レンズの光軸上厚み、
E5：第５レンズの前後面において、無限遠物体距離時の最大画角の光束のうち最も高い位置を通過する光線と各面との交点間の光軸方向の距離、
である。
【０１３９】
条件式(B11)の上限を上回ると、成形時の金型からレンズ面への転写性が著しく悪くなり、面精度が悪化するため、高周波成分のコントラストが低下し、画質が劣化してしまう。また、条件式(B11)の下限を下回ると、第2レンズ群のパワーが不十分となり、フォーカシング性能が劣化してしまう。
【０１４０】
条件式(B12)の上限を上回ると、レンズ成形時にウェルドが発生し、不要光や外観不良の原因となってしまう。また、条件式(B12)の下限を下回ると、テレフォトタイプにすることができなくなるため、撮像レンズ全長の増大につながってしまう。
【０１４１】
以下の条件式(B11a)を満足することが更に望ましい。
0.2＜E4／T4＜1  …(B11a)
この条件式(B11a)は、前記条件式(B11)が規定している条件範囲のなかでも、前記観点等に基づいた更に好ましい条件範囲を規定している。したがって、好ましくは条件式(B11a)を満たすことにより、上記効果をより一層大きくすることができる。
【０１４２】
以下の条件式(B12a)を満足することが更に望ましい。
1＜E5／T5＜7  …(B12a)
この条件式(B12a)は、前記条件式(B12)が規定している条件範囲のなかでも、前記観点等に基づいた更に好ましい条件範囲を規定している。したがって、好ましくは条件式(B12a)を満たすことにより、上記効果をより一層大きくすることができる。
【０１４３】
最像側レンズが像側凹の形状を有し、以下の条件式(B13)を満足することが望ましい。
0.01＜bf／TL＜0.4  …(B13)
ただし、
bf：最も像側に位置するレンズ面の面頂点から像面までの光軸上距離（平行平板を含む場合は空気換算長）、
である。
【０１４４】
像側凹形状とすることで、いわゆるテレフォトタイプとなり、撮像レンズ全長の小型化には有利な構成となる。条件式(B13)の上限を上回ると、第１レンズのパワーが弱まり、光学全長が増大してしまう。また条件式(B13)の下限を下回ると、最も像側に位置するレンズ面を通過する光束が非常に細くなるため、ゴミの写りこみ感度が非常に高くなってしまい、画質不良や対策コストアップを招いてしまう。さらに、条件式(B13)の範囲を外れた場合、最も物体側の正パワーが弱まり、最も物体側の負パワーが相対的に強くなるため、結果として、色収差や球面収差が過剰補正になってしまう。
【０１４５】
以下の条件式(B13a)を満足することが更に望ましい。
0.1＜bf／TL＜0.3  …(B13a)
この条件式(B13a)は、前記条件式(B13)が規定している条件範囲のなかでも、前記観点等に基づいた更に好ましい条件範囲を規定している。したがって、好ましくは条件式(B13a)を満たすことにより、上記効果をより一層大きくすることができる。
【０１４６】
少なくとも１枚のレンズは、射出圧縮成形法により成形されたものであることが望ましい。射出圧縮成形法でレンズ成形することにより、材料の流動性の悪さに伴って発生するウェルドを抑え、レンズ薄肉化の成形制約を取り除くことができるため、レンズ設計時の収差補正自由度を高めることが可能となる。
【０１４７】
タイプＢの発明に係る撮像レンズは、画像入力機能付きデジタル機器（例えば携帯端末）用の撮像レンズとしての使用に適しており、これを撮像素子等と組み合わせることにより、被写体の映像を光学的に取り込んで電気的な信号として出力する撮像光学装置を構成することができる。撮像光学装置は、被写体の静止画撮影や動画撮影に用いられるカメラの主たる構成要素を成す光学装置であり、例えば、物体（すなわち被写体）側から順に、物体の光学像を形成する撮像レンズと、その撮像レンズにより形成された光学像を電気的な信号に変換する撮像素子と、を備えることにより構成される。そして、撮像素子の受光面（すなわち撮像面）上に被写体の光学像が形成されるように、前述した特徴的構成を有する撮像レンズが配置されることにより、小型・低コストで高い性能を有する撮像光学装置やそれを備えたデジタル機器（例えば携帯端末）を実現することができる。
【０１４８】
カメラの例としては、デジタルカメラ，ビデオカメラ，監視カメラ，車載カメラ，テレビ電話用カメラ等が挙げられ、また、パーソナルコンピュータ，デジタル機器（例えば、携帯電話，モバイルコンピュータ等の小型で携帯可能な情報機器端末），これらの周辺機器（スキャナー，プリンター等），その他のデジタル機器等に内蔵又は外付けされるカメラが挙げられる。これらの例から分かるように、撮像光学装置を用いることによりカメラを構成することができるだけでなく、各種機器に撮像光学装置を搭載することによりカメラ機能を付加することが可能である。例えば、カメラ付き携帯電話等の画像入力機能付きデジタル機器を構成することが可能である。
【０１４９】
図３５に、画像入力機能付きデジタル機器の一例として、デジタル機器ＤＵの概略構成例を模式的断面で示す。図３５に示すデジタル機器ＤＵに搭載されている撮像光学装置ＬＵは、物体（すなわち被写体）側から順に、物体の光学像（像面）ＩＭを形成する撮像レンズＬＮ（ＡＸ：光軸）と、平行平板ＰＴ（必要に応じて配置される光学的ローパスフィルター，赤外（ＩＲ）カットフィルター等の光学フィルター；撮像素子ＳＲのカバーガラス等に相当する。）と、撮像レンズＬＮにより受光面（撮像面）ＳＳ上に形成された光学像ＩＭを電気的な信号に変換する撮像素子ＳＲと、を備えている。この撮像光学装置ＬＵで画像入力機能付きデジタル機器ＤＵを構成する場合、通常そのボディ内部に撮像光学装置ＬＵを配置することになるが、カメラ機能を実現する際には必要に応じた形態を採用することが可能である。例えば、ユニット化した撮像光学装置ＬＵをデジタル機器ＤＵの本体に対して着脱自在又は回動自在に構成することが可能である。
【０１５０】
撮像素子ＳＲとしては、例えば複数の画素を有するＣＣＤ型イメージセンサ，ＣＭＯＳ型イメージセンサ等の固体撮像素子が用いられる。撮像レンズＬＮは、撮像素子ＳＲの光電変換部である受光面ＳＳ上に被写体の光学像ＩＭが形成されるように設けられているので、撮像レンズＬＮによって形成された光学像ＩＭは、撮像素子ＳＲによって電気的な信号に変換される。
【０１５１】
デジタル機器ＤＵは、撮像光学装置ＬＵの他に、信号処理部１，制御部２，メモリ３，操作部４，表示部５等を備えている。撮像素子ＳＲで生成した信号は、信号処理部１で所定のデジタル画像処理や画像圧縮処理等が必要に応じて施され、デジタル映像信号としてメモリ３（半導体メモリ，光ディスク等）に記録されたり、場合によってはケーブルを介したり赤外線信号等に変換されたりして他の機器に伝送される（例えば携帯電話の通信機能）。制御部２はマイクロコンピュータから成っており、撮影機能（静止画撮影機能，動画撮影機能等），画像再生機能等の機能の制御；フォーカシングのためのレンズ移動機構の制御等を集中的に行う。例えば、被写体の静止画撮影，動画撮影のうちの少なくとも一方を行うように、制御部２により撮像光学装置ＬＵに対する制御が行われる。表示部５は液晶モニター等のディスプレイを含む部分であり、撮像素子ＳＲによって変換された画像信号あるいはメモリ３に記録されている画像情報を用いて画像表示を行う。操作部４は、操作ボタン（例えばレリーズボタン），操作ダイヤル（例えば撮影モードダイヤル）等の操作部材を含む部分であり、操作者が操作入力した情報を制御部２に伝達する。
【０１５２】
信号処理部１は、撮像光学装置ＬＵから得られる画像データを電気的に加工する画像処理部１ａを有している。画像処理部１ａを有することで、光学的に補正しきれない収差や周辺光量低下を軽減することが可能となる。
【０１５３】
上記画像処理部１ａで画像の歪みを補正することが望ましい。画像の歪みを補正することにより、特に像面に近いレンズによる収差負担が軽減されるため、射出瞳位置の制御が容易となり、レンズ形状を加工性の良い形状にすることもできる。
【０１５４】
上記画像処理部１ａで焦点深度を拡大することが望ましい。焦点深度を拡大することにより、部品バラツキを許容できるようになるため、生産性を高めることができる。また駆動装置を用いる場合には、駆動装置の位置誤差や偏芯誤差を吸収することができる。
【０１５５】
撮像レンズＬＮは、前述したように、物体側より順に、物体側凸形状の少なくとも１枚の正レンズと、負レンズと、非球面を有する少なくとも１枚のレンズと、から構成され、前記正レンズと前記負レンズとが隣り合って位置する構成になっており、撮像素子ＳＲの受光面ＳＳ上に光学像ＩＭを形成する。撮像レンズＬＮのフォーカスは、アクチュエータを用いて第２レンズ群Ｇｒ２を光軸ＡＸ方向に移動させることにより行われ、この構成により前述した高性能化，小型化，ゴミ侵入防止等の効果が得られる。なお、前述した第１，第３〜第１０の実施の形態が、タイプＢの撮像レンズＬＮに相当する。
【０１５６】
撮像レンズＬＮで形成されるべき光学像ＩＭは、例えば、撮像素子ＳＲの画素ピッチにより決定される所定の遮断周波数特性を有する光学的ローパスフィルター（図３５中の平行平板ＰＴに相当する。）を通過することにより、電気的な信号に変換される際に発生するいわゆる折り返しノイズが最小化されるように、空間周波数特性が調整される。これにより、色モアレの発生を抑えることができる。ただし、解像限界周波数周辺の性能を抑えてやれば、光学的ローパスフィルターを用いなくてもノイズの発生を懸念する必要がなく、また、ノイズがあまり目立たない表示系（例えば、携帯電話の液晶画面等）を用いてユーザーが撮影や鑑賞を行う場合には、光学的ローパスフィルターを用いる必要はない。
【０１５７】
第３レンズ群Ｇｒ３と撮像面ＳＳとの間を密閉する構造を有することが望ましい。そのような密閉構造を有することで、光束が非常に細くなる撮像面近傍へのゴミ付着を防ぐことが可能となるので、生産性低下を防ぐことができる。
【０１５８】
ところで、プラスチック材料は温度変化時の屈折率変化が大きいため、全てのレンズをプラスチックレンズで構成すると、周囲温度が変化した際に、撮像レンズ全系の像点位置が変動してしまうという問題をかかえることになる。しかし最近では、プラスチック材料中に無機微粒子を混合させると、プラスチック材料が受ける温度変化の影響を小さくできることが分かってきた。詳細に説明すると、一般に透明なプラスチック材料に微粒子を混合させると、光の散乱が生じて透過率が低下するため、光学材料として使用することは困難であったが、微粒子の大きさを透過光束の波長より小さくすれば、散乱が実質的に発生しないようにすることができるのである。
【０１５９】
また、プラスチック材料は温度が上昇することにより屈折率が低下してしまうが、無機粒子は温度が上昇すると屈折率が上昇する。そこで、これらの温度依存性を利用して互いに打ち消し合うように作用させることにより、屈折率変化がほとんど生じないようにすることができる。具体的には、母材となるプラスチック材料に最大長が２０ナノメートル以下の無機粒子を分散させることにより、屈折率の温度依存性のきわめて低いプラスチック材料とすることができる。例えば、アクリル樹脂に酸化ニオブ（Ｎｂ2Ｏ5）の微粒子を分散させることにより、温度変化による屈折率変化を小さくすることができる。
【０１６０】
前述したタイプＡ，Ｂの発明に係る撮像レンズＬＮでは、比較的屈折力の大きな正レンズ（例えば第１レンズＬ１）又はすべてのレンズに、このような無機粒子を分散させたプラスチック材料を用いることにより、撮像レンズＬＮ全系の温度変化時の像点位置変動を小さく抑えることが可能となる。
【０１６１】
また近年、撮像光学装置を低コストかつ大量に実装する方法として、予め半田がポッティングされた基板に対し、ＩＣ(Integrated  Circuit)チップやその他の電子部品と光学素子とを載置したままリフロー処理(加熱処理)を行い、半田を溶融させることにより電子部品と光学素子とを基板に同時実装するという技術が提案されている。
【０１６２】
このようなリフロー処理を用いて実装を行うためには、電子部品と共に光学素子を約２００〜２６０度に加熱する必要がある。しかし、このような高温下では熱可塑性樹脂を用いたレンズは熱変形しあるいは変色して、その光学性能が低下してしまうという問題点がある。このような問題を解決するための方法のひとつとして、耐熱性能に優れたガラスモールドレンズを使用し、小型化と高温環境での光学性能を両立する技術が提案されているが、熱可塑性樹脂を用いたレンズよりもコストが高いため、撮像光学装置の低コスト化の要求に応えられないという問題がある。
【０１６３】
撮像レンズの材料にエネルギー硬化性樹脂を用いた場合（ここで、エネルギー硬化性樹脂とは、熱硬化性樹脂及び紫外線硬化性樹脂のいずれをも指すものとする。）、ポリカーボネイト系やポリオレフィン系のような熱可塑性樹脂を用いた場合に比べると、撮像レンズが高温に曝されたときの光学性能の低下が小さいため、リフロー処理に有効である。しかも、ガラスモールドレンズよりも製造しやすく安価になるため、撮像レンズを組み込んだ撮像光学装置の低コスト化と量産性の向上との両立が可能となる。したがって、タイプＡ，Ｂの発明に係る撮像レンズＬＮに用いるプラスチックレンズとして、エネルギー硬化性樹脂で形成したものを用いるのが好ましい。熱硬化性樹脂の一例としては、新中村化学製  ＮＫエステル  ＤＣＰ  （トリシクロデカンジメタノールジメタクリレート）に、重合開始剤として日本油脂製  パーブチルＯ  １ｗｔ％添加し、１５０℃，１０ｍｉｎで硬化させたもの等が挙げられる。
【０１６４】
上述した各実施の形態や後述する各実施例では、固体撮像素子の撮像面に入射する光束の主光線入射角が、撮像面周辺部において必ずしも十分に小さい設計にはなっていない。しかし、最近の技術では、固体撮像素子の色フィルターやオンチップマイクロレンズアレイの配列の見直しによって、シェーディングを軽減することができるようになってきている。具体的には、撮像素子の撮像面の画素ピッチに対し、色フィルターやオンチップマイクロレンズアレイの配列のピッチをわずかに小さく設定すれば、撮像面の周辺部にいくほど各画素に対し色フィルターやオンチップマイクロレンズアレイが撮像レンズ光軸側へシフトするため、斜入射の光束を効率的に各画素の受光部に導くことができる。これにより固体撮像素子で発生するシェーディングを小さく抑えることができる。
【０１６５】
さらに、近年は、従来と異なる製法で固体撮像素子を作製する技術が進展してきた。裏面照射型と呼ばれるこの技術では、受光部が配線層よりも撮像レンズ側に配置されているため、受光部に到達する実質的な光量が増加し、低輝度感度の向上や斜入射による周辺光量落ちを抑制する効果が極めて大きい。後述する各実施例では、これらの周辺技術を勘案し、より小型化を目指した設計例となっている。
【実施例】
【０１６６】
以下、本発明を実施した撮像レンズの構成等を、実施例のコンストラクションデータ等を挙げて更に具体的に説明する。ここで挙げる実施例１〜１１（ＥＸ１〜１１）は、前述した第１〜第１１の実施の形態にそれぞれ対応する数値実施例であり、第１〜第１１の実施の形態を表す光学構成図（図１〜図１１）は、対応する実施例１〜１１のレンズ構成をそれぞれ示している。【０１６７】
各実施例のコンストラクションデータでは、面データとして、左側の欄から順に、面番号，曲率半径ｒ（ｍｍ），軸上面間隔ｄ（ｍｍ），ｄ線（波長：５８７．５６ｎｍ）に関する屈折率ｎｄ，ｄ線に関するアッベ数ｖｄを示す。面番号に＊が付された面は非球面であり、その面形状は面頂点を原点とするローカルな直交座標系（Ｘ，Ｙ，Ｚ）を用いた以下の式(AS)で定義される。非球面データとして、非球面係数等を示す。なお、各実施例の非球面データにおいて表記の無い項の係数は０であり、すべてのデータに関してｅ−ｎ＝×１０-nである。【０１６８】
【数１】
2011118554.tif 000003
…(AS)【０１６９】
ただし、
ｈ：Ｘ軸（光軸ＡＸ）に対して垂直な方向の高さ（ｈ2＝Ｙ2＋Ｚ2）、
Ｘ：高さｈの位置での光軸ＡＸ方向のサグ量（面頂点基準）、
Ｒ：基準曲率半径（曲率半径ｒに相当する。）、
Ｋ：円錐定数、
Ａｉ：ｉ次の非球面係数、
である。【０１７０】
なお、本願明細書における近軸曲率半径の意味合いに関し、実際のレンズ測定の場面においては、レンズ中央近傍（具体的には、レンズ外径に対して１０％以内の中央領域）での形状測定値を最小自乗法でフィッティングした際の近似曲率半径を近軸曲率半径とみなすことができる。また、例えば２次の非球面係数を使用した場合には、非球面定義式(AS)の基準曲率半径Ｒに２次の非球面係数Ａ２も勘案した曲率半径を近軸曲率半径とみなすことができる（例えば、松居吉哉著「レンズ設計法」（共立出版株式会社），Ｐ４１〜４２参照。）。【０１７１】
各種データとして、全系の焦点距離（ｆ，ｍｍ），Ｆナンバー（Ｆｎｏ．），半画角（ω，°），最大像高（Ｙ’，ｍｍ），レンズ全長（ＴＬ，ｍｍ），バックフォーカス（ＢＦ，ｍｍ）を示す。全系の焦点距離及びＦナンバーについては、無限遠物体距離時（物体距離：∞）と最近接物体距離時（物体距離：１０ｃｍ）の両方のフォーカス状態での値を示している。バックフォーカスは、レンズ最終面から近軸像面までの距離を空気換算長により表記しており、レンズ全長は、レンズ最前面からレンズ最終面までの距離にバックフォーカスを加えたものである。さらに、無限遠物体距離から最近接物体距離（物体距離：１０ｃｍ）へのフォーカシングにおけるフォーカスレンズ群の繰出し量（ｍｍ）を示し、単レンズデータ及びレンズ群データとして各レンズと各レンズ群の焦点距離を示す（ただし、レンズ１枚から成るレンズ群の焦点距離は省略する。）。また、各条件式に対応する実施例の値を表１及び表２に示す。【０１７２】
図１２〜図２２は、実施例１〜１１（ＥＸ１〜１１）の無限遠物体距離時（物体距離：∞）の収差図であり、図２３〜図３３は、実施例１〜１１（ＥＸ１〜１１）の最近接物体距離（物体距離：１０ｃｍ）の収差図である。図１２〜図３３のそれぞれにおいて、（Ａ）は球面収差図、（Ｂ）は非点収差図、（Ｃ）は歪曲収差図である。球面収差図は、実線で示すｄ線（波長５８７．５６ｎｍ）に対する球面収差量、一点鎖線で示すＣ線（波長６５６．２８ｎｍ）に対する球面収差量、破線で示すｇ線（波長４３５．８４ｎｍ）に対する球面収差量を、それぞれ近軸像面からの光軸ＡＸ方向のズレ量（単位：ｍｍ）で表しており、縦軸は瞳への入射高さをその最大高さで規格化した値（すなわち相対瞳高さ）を表している。非点収差図において、四点鎖線Ｔはｄ線に対するタンジェンシャル像面、実線Ｓはｄ線に対するサジタル像面を、近軸像面からの光軸ＡＸ方向のズレ量（単位：ｍｍ）で表しており、縦軸は像高（ＩＭＧ  ＨＴ，単位：ｍｍ）を表している。歪曲収差図において、横軸はｄ線に対する歪曲（単位：％）を表しており、縦軸は像高（ＩＭＧ  ＨＴ，単位：ｍｍ）を表している。なお、像高ＩＭＧ  ＨＴの最大値は、像面ＩＭにおける最大像高Ｙ’（撮像素子ＳＲの受光面ＳＳの対角長の半分）に相当する。【０１７３】
実施例１の撮像レンズＬＮ（図１）は、物体側から順に、正の第１レンズＬ１と、開口絞りＳＴと、負の第２レンズＬ２と、負の第３レンズＬ３と、正の第４レンズＬ４と、負の第５レンズＬ５と、から構成されており、レンズ面は全て非球面である。近軸の面形状で各レンズを見た場合、第１レンズＬ１は両凸の正レンズであり、第２レンズＬ２は像側に凹の負メニスカスレンズであり、第３レンズＬ３は像側に凹の負メニスカスレンズであり、第４レンズＬ４は物体側に凸の正メニスカスレンズであり、第５レンズＬ５は像側に凹の負メニスカスレンズである。【０１７４】
実施例２の撮像レンズＬＮ（図２）は、物体側から順に、正の第１レンズＬ１と、開口絞りＳＴと、負の第２レンズＬ２と、正の第３レンズＬ３と、正の第４レンズＬ４と、負の第５レンズＬ５と、から構成されており、レンズ面は全て非球面である。近軸の面形状で各レンズを見た場合、第１レンズＬ１は物体側に凸の正メニスカスレンズであり、第２レンズＬ２は像側に凹の負メニスカスレンズであり、第３レンズＬ３は両凸の正レンズであり、第４レンズＬ４は像側に凸の正メニスカスレンズであり、第５レンズＬ５は両凹の負レンズである。【０１７５】
実施例３の撮像レンズＬＮ（図３）は、物体側から順に、正の第１レンズＬ１と、開口絞りＳＴと、負の第２レンズＬ２と、正の第３レンズＬ３と、正の第４レンズＬ４と、負の第５レンズＬ５と、から構成されており、レンズ面は全て非球面である。近軸の面形状で各レンズを見た場合、第１レンズＬ１は物体側に凸の正メニスカスレンズであり、第２レンズＬ２は像側に凹の負メニスカスレンズであり、第３レンズＬ３は像側に凸の正メニスカスレンズであり、第４レンズＬ４は像側に凸の正メニスカスレンズであり、第５レンズＬ５は両凹の負レンズである。【０１７６】
実施例４の撮像レンズＬＮ（図４）は、物体側から順に、正の第１レンズＬ１と、開口絞りＳＴと、負の第２レンズＬ２と、正の第３レンズＬ３と、正の第４レンズＬ４と、負の第５レンズＬ５と、から構成されており、レンズ面は全て非球面である。近軸の面形状で各レンズを見た場合、第１レンズＬ１は両凸の正レンズであり、第２レンズＬ２は像側に凹の負メニスカスレンズであり、第３レンズＬ３は物体側に凸の正メニスカスレンズであり、第４レンズＬ４は像側に凸の正メニスカスレンズであり、第５レンズＬ５は像側に凹の負メニスカスレンズである。【０１７７】
実施例５の撮像レンズＬＮ（図５）は、物体側から順に、正の第１レンズＬ１と、開口絞りＳＴと、負の第２レンズＬ２と、正の第３レンズＬ３と、正の第４レンズＬ４と、負の第５レンズＬ５と、から構成されており、レンズ面は全て非球面である。近軸の面形状で各レンズを見た場合、第１レンズＬ１は両凸の正レンズであり、第２レンズＬ２は像側に凹の負メニスカスレンズであり、第３レンズＬ３は物体側に凸の正メニスカスレンズであり、第４レンズＬ４は像側に凸の正メニスカスレンズであり、第５レンズＬ５は像側に凹の負メニスカスレンズである。【０１７８】
実施例６の撮像レンズＬＮ（図６）は、物体側から順に、正の第１レンズＬ１と、正の第２レンズＬ２と、開口絞りＳＴと、負の第３レンズＬ３と、正の第４レンズＬ４と、正の第５レンズＬ５と、負の第６レンズＬ６と、から構成されており、レンズ面は全て非球面である。近軸の面形状で各レンズを見た場合、第１レンズＬ１は両凸の正レンズであり、第２レンズＬ２は両凸の正レンズであり、第３レンズＬ３は像側に凹の負メニスカスレンズであり、第４レンズＬ４は両凸の正レンズであり、第５レンズＬ５は像側に凸の正メニスカスレンズであり、第６レンズＬ６は両凹の負レンズである。【０１７９】
実施例７の撮像レンズＬＮ（図７）は、物体側から順に、正の第１レンズＬ１と、開口絞りＳＴと、負の第２レンズＬ２と、正の第３レンズＬ３と、正の第４レンズＬ４と、負の第５レンズＬ５と、から構成されており、レンズ面は全て非球面である。近軸の面形状で各レンズを見た場合、第１レンズＬ１は両凸の正レンズであり、第２レンズＬ２は像側に凹の負メニスカスレンズであり、第３レンズＬ３は像側に凸の正メニスカスレンズであり、第４レンズＬ４は像側に凸の正メニスカスレンズであり、第５レンズＬ５は両凹の負レンズである。【０１８０】
実施例８の撮像レンズＬＮ（図８）は、物体側から順に、正の第１レンズＬ１と、開口絞りＳＴと、負の第２レンズＬ２と、正の第３レンズＬ３と、正の第４レンズＬ４と、負の第５レンズＬ５と、から構成されており、レンズ面は全て非球面である。近軸の面形状で各レンズを見た場合、第１レンズＬ１は物体側に凸の正メニスカスレンズであり、第２レンズＬ２は像側に凹の負メニスカスレンズであり、第３レンズＬ３は物体側に凸の正メニスカスレンズであり、第４レンズＬ４は像側に凸の正メニスカスレンズであり、第５レンズＬ５は像側に凹の負メニスカスレンズである。【０１８１】
実施例９の撮像レンズＬＮ（図９）は、物体側から順に、開口絞りＳＴと、正の第１レンズＬ１と、負の第２レンズＬ２と、負の第３レンズＬ３と、正の第４レンズＬ４と、負の第５レンズＬ５と、から構成されており、レンズ面は全て非球面である。近軸の面形状で各レンズを見た場合、第１レンズＬ１は両凸の正レンズであり、第２レンズＬ２は像側に凹の負メニスカスレンズであり、第３レンズＬ３は像側に凹の負メニスカスレンズであり、第４レンズＬ４は両凸の正レンズであり、第５レンズＬ５は像側に凹の負メニスカスレンズである。【０１８２】
実施例１０の撮像レンズＬＮ（図１０）は、物体側から順に、正の第１レンズＬ１と、開口絞りＳＴと、負の第２レンズＬ２と、負の第３レンズＬ３と、正の第４レンズＬ４と、負の第５レンズＬ５と、から構成されており、レンズ面は全て非球面である。近軸の面形状で各レンズを見た場合、第１レンズＬ１は物体側に凸の正メニスカスレンズであり、第２レンズＬ２は像側に凹の負メニスカスレンズであり、第３レンズＬ３は像側に凹の負メニスカスレンズであり、第４レンズＬ４は像側に凸の正メニスカスレンズであり、第５レンズＬ５は像側に凹の負メニスカスレンズである。【０１８３】
実施例１１の撮像レンズＬＮ（図１１）は、物体側から順に、開口絞りＳＴと、正の第１レンズＬ１と、負の第２レンズＬ２と、正の第３レンズＬ３と、負の第４レンズＬ４と、から構成されており、レンズ面は全て非球面である。近軸の面形状で各レンズを見た場合、第１レンズＬ１は両凸の正レンズであり、第２レンズＬ２は像側に凹の負メニスカスレンズであり、第３レンズＬ３は両凸の正レンズであり、第４レンズＬ４は像側に凹の負メニスカスレンズである。【０１８４】
2011118554.tif 000004
【０１８５】
2011118554.tif 000005
【０１８６】
2011118554.tif 000006
【０１８７】
2011118554.tif 000007
【０１８８】
2011118554.tif 000008
【０１８９】
2011118554.tif 000009
【０１９０】
2011118554.tif 000010
【０１９１】
2011118554.tif 000011
【０１９２】
2011118554.tif 000012
【０１９３】
2011118554.tif 000013
【０１９４】
2011118554.tif 000014
【０１９５】
2011118554.tif 000015
【０１９６】
2011118554.tif 000016
【０１９７】
2011118554.tif 000017
【０１９８】
2011118554.tif 000018
【０１９９】
2011118554.tif 000019
【０２００】
2011118554.tif 000020
【０２０１】
2011118554.tif 000021
【０２０２】
2011118554.tif 000022
【０２０３】
2011118554.tif 000023
【０２０４】
2011118554.tif 000024
【０２０５】
2011118554.tif 000025
【０２０６】
2011118554.tif 000026
【０２０７】
2011118554.tif 000027
【０２０８】
2011118554.tif 000028
【０２０９】
2011118554.tif 000029
【０２１０】
2011118554.tif 000030
【０２１１】
2011118554.tif 000031
【０２１２】
2011118554.tif 000032
【０２１３】
2011118554.tif 000033
【０２１４】
2011118554.tif 000034
【０２１５】
2011118554.tif 000035
【０２１６】
2011118554.tif 000036
【０２１７】
2011118554.tif 000037
【０２１８】
2011118554.tif 000038
【０２１９】
2011118554.tif 000039
【０２２０】
2011118554.tif 000040
【０２２１】
2011118554.tif 000041
【０２２２】
2011118554.tif 000042
【０２２３】
2011118554.tif 000043
【０２２４】
2011118554.tif 000044
【０２２５】
2011118554.tif 000045
【０２２６】
2011118554.tif 000046
【０２２７】
2011118554.tif 000047
【０２２８】
2011118554.tif 000048
【０２２９】
2011118554.tif 000049
【０２３０】
2011118554.tif 000050
【０２３１】
2011118554.tif 000051
【０２３２】
2011118554.tif 000052
【０２３３】
2011118554.tif 000053
【０２３４】
2011118554.tif 000054
【０２３５】
2011118554.tif 000055
【０２３６】
2011118554.tif 000056
【０２３７】
2011118554.tif 000057
【０２３８】
2011118554.tif 000058
【０２３９】
2011118554.tif 000059
【０２４０】
2011118554.tif 000060
【０２４１】
2011118554.tif 000061
【０２４２】
2011118554.tif 000062
【０２４３】
2011118554.tif 000063
【０２４４】
2011118554.tif 000064
【０２４５】
2011118554.tif 000065
【０２４６】
2011118554.tif 000066
【０２４７】
2011118554.tif 000067
【０２４８】
2011118554.tif 000068
【０２４９】
2011118554.tif 000069
【０２５０】
2011118554.tif 000070
【０２５１】
2011118554.tif 000071
【０２５２】
2011118554.tif 000072
【０２５３】
2011118554.tif 000073
【０２５４】
2011118554.tif 000074
【０２５５】
2011118554.tif 000075
【０２５６】
2011118554.tif 000076
【０２５７】
2011118554.tif 000077
【０２５８】
2011118554.tif 000078
【０２５９】
2011118554.tif 000079
【０２６０】
2011118554.tif 000080
【０２６１】
2011118554.tif 000081
【０２６２】
2011118554.tif 000082
【０２６３】
2011118554.tif 000083
【０２６４】
2011118554.tif 000084
【０２６５】
2011118554.tif 000085
【０２６６】
2011118554.tif 000086
【０２６７】
2011118554.tif 000087
【０２６８】
2011118554.tif 000088
【０２６９】
2011118554.tif 000089
【０２７０】
2011118554.tif 000090
【０２７１】
2011118554.tif 000091
【０２７２】
2011118554.tif 000092
【０２７３】
2011118554.tif 000093
【０２７４】
2011118554.tif 000094
【０２７５】
2011118554.tif 000095
【０２７６】
2011118554.tif 000096
【０２７７】
2011118554.tif 000097
【０２７８】
2011118554.tif 000098
【０２７９】
2011118554.tif 000099
【０２８０】
2011118554.tif 000100
【０２８１】
2011118554.tif 000101
【０２８２】
2011118554.tif 000102
【０２８３】
2011118554.tif 000103
【０２８４】
2011118554.tif 000104
【０２８５】
2011118554.tif 000105
【０２８６】
2011118554.tif 000106
【０２８７】
2011118554.tif 000107
【０２８８】
2011118554.tif 000108
【０２８９】
2011118554.tif 000109
【０２９０】
2011118554.tif 000110
【０２９１】
2011118554.tif 000111
【０２９２】
2011118554.tif 000112
【０２９３】
2011118554.tif 000113
【０２９４】
2011118554.tif 000114
【０２９５】
2011118554.tif 000115
【０２９６】
2011118554.tif 000116
【０２９７】
2011118554.tif 000117
【０２９８】
2011118554.tif 000118
【０２９９】
2011118554.tif 000119
【０３００】
2011118554.tif 000120
【０３０１】
2011118554.tif 000121
【０３０２】
2011118554.tif 000122
【０３０３】
2011118554.tif 000123
【０３０４】
2011118554.tif 000124
【０３０５】
2011118554.tif 000125
【０３０６】
2011118554.tif 000126
【０３０７】
2011118554.tif 000127
【０３０８】
2011118554.tif 000128
【０３０９】
2011118554.tif 000129
【０３１０】
2011118554.tif 000130
【０３１１】
2011118554.tif 000131
【０３１２】
2011118554.tif 000132
【０３１３】
2011118554.tif 000133
【０３１４】
2011118554.tif 000134
【０３１５】
2011118554.tif 000135
【０３１６】
2011118554.tif 000136
【０３１７】
2011118554.tif 000137
【０３１８】
2011118554.tif 000138
【０３１９】
2011118554.tif 000139
【０３２０】
2011118554.tif 000140
【０３２１】
2011118554.tif 000141
【０３２２】
2011118554.tif 000142
【０３２３】
2011118554.tif 000143
【０３２４】
2011118554.tif 000144
【０３２５】
2011118554.tif 000145
【０３２６】
2011118554.tif 000146
【０３２７】
【表１】
2011118554.tif 000147
【０３２８】
【表２】
2011118554.tif 000148
【符号の説明】
【０３２９】
ＤＵ    デジタル機器
ＬＵ    撮像光学装置
ＬＮ    撮像レンズ
Ｇｒ１〜Ｇｒ３    第１〜第３レンズ群
Ｌ１〜Ｌ６    第１〜第６レンズ
ＳＴ    開口絞り（絞り）
ＳＲ    撮像素子
ＳＳ    受光面（撮像面）
ＩＭ    像面（光学像）
ＡＸ    光軸
１    信号処理部
１ａ    画像処理部
２    制御部
３    メモリ
４    操作部
５    表示部
【図１】
2011118554.tif 000149
【図２】
2011118554.tif 000150
【図３】
2011118554.tif 000151
【図４】
2011118554.tif 000152
【図５】
2011118554.tif 000153
【図６】
2011118554.tif 000154
【図７】
2011118554.tif 000155
【図８】
2011118554.tif 000156
【図９】
2011118554.tif 000157
【図１０】
2011118554.tif 000158
【図１１】
2011118554.tif 000159
【図１２】
2011118554.tif 000160
【図１３】
2011118554.tif 000161
【図１４】
2011118554.tif 000162
【図１５】
2011118554.tif 000163
【図１６】
2011118554.tif 000164
【図１７】
2011118554.tif 000165
【図１８】
2011118554.tif 000166
【図１９】
2011118554.tif 000167
【図２０】
2011118554.tif 000168
【図２１】
2011118554.tif 000169
【図２２】
2011118554.tif 000170
【図２３】
2011118554.tif 000171
【図２４】
2011118554.tif 000172
【図２５】
2011118554.tif 000173
【図２６】
2011118554.tif 000174
【図２７】
2011118554.tif 000175
【図２８】
2011118554.tif 000176
【図２９】
2011118554.tif 000177
【図３０】
2011118554.tif 000178
【図３１】
2011118554.tif 000179
【図３２】
2011118554.tif 000180
【図３３】
2011118554.tif 000181
【図３４】
2011118554.tif 000182
【図３５】
2011118554.tif 000183
【手続補正書】
【提出日】平成24年8月29日(2012.8.29)
【手続補正１】
【補正対象書類名】特許請求の範囲
【補正対象項目名】全文
【補正方法】変更
【補正の内容】
【特許請求の範囲】
【請求項１】
物体側より順に、正の第１レンズと、物体側凸形状の正の第２レンズと、負の第３レンズと、第４レンズと、第５レンズと、非球面を少なくとも１面有する第６レンズと、から構成され、以下の条件式(A1),(A2)及び(A3)を満足することを特徴とする撮像レンズ；
0.1＜Ton／Dopn＜7  …(A1)
0.1＜(Rona−Ronb)／(Rona＋Ronb)＜1.5  …(A2)
0.3＜Y'／TL＜0.9  …(A3)
ただし、
Ton：最も物体側に位置する負レンズの光軸上厚み、
Dopn：最も物体側に位置する負レンズと前記負レンズの物体側に隣り合った正レンズとの間の光軸上間隔、
Rona：最も物体側に位置する負レンズの物体側面の近軸曲率半径、
Ronb：最も物体側に位置する負レンズの像側面の近軸曲率半径、
Y'：最大像高、
TL：最物体側レンズ面の面頂点から像面までの光軸上距離（平行平板を含む場合は空気換算長）、
である。
【請求項２】
物体側より順に、物体側凸形状の正の第１レンズと、負の第２レンズと、第３レンズと、像側凸形状の正の第４レンズと、非球面を少なくとも１面有する第５レンズと、から構成され、以下の条件式(A1),(A2)及び(A3)を満足することを特徴とする撮像レンズ；
0.1＜Ton／Dopn＜7  …(A1)
0.1＜(Rona−Ronb)／(Rona＋Ronb)＜1.5  …(A2)
0.3＜Y'／TL＜0.9  …(A3)
ただし、
Ton：最も物体側に位置する負レンズの光軸上厚み、
Dopn：最も物体側に位置する負レンズと前記負レンズの物体側に隣り合った正レンズとの間の光軸上間隔、
Rona：最も物体側に位置する負レンズの物体側面の近軸曲率半径、
Ronb：最も物体側に位置する負レンズの像側面の近軸曲率半径、
Y'：最大像高、
TL：最物体側レンズ面の面頂点から像面までの光軸上距離（平行平板を含む場合は空気換算長）、
である。
【請求項３】
物体側より順に、物体側凸形状の正の第１レンズと、負の第２レンズと、正の第３レンズと、非球面を少なくとも１面有する第４レンズと、から構成され、以下の条件式(A1),(A2)及び(A3a)を満足することを特徴とする撮像レンズ；
0.1＜Ton／Dopn＜7  …(A1)
0.1＜(Rona−Ronb)／(Rona＋Ronb)＜1.5  …(A2)
0.6＜Y'／TL＜0.9  …(A3a)
ただし、
Ton：最も物体側に位置する負レンズの光軸上厚み、
Dopn：最も物体側に位置する負レンズと前記負レンズの物体側に隣り合った正レンズとの間の光軸上間隔、
Rona：最も物体側に位置する負レンズの物体側面の近軸曲率半径、
Ronb：最も物体側に位置する負レンズの像側面の近軸曲率半径、
Y'：最大像高、
TL：最物体側レンズ面の面頂点から像面までの光軸上距離（平行平板を含む場合は空気換算長）、
である。
【請求項４】
以下の条件式(A4)を満足することを特徴とする請求項３記載の撮像レンズ；
0.1＜T2／D12＜5  …(A4)
ただし、
T2：第２レンズの光軸上厚み、
D12：第１レンズと第２レンズとの間の光軸上間隔、
である。
【請求項５】
最も像側に位置するレンズの物体側に隣り合って位置するレンズが、像側凸形状の正レンズであることを特徴とする請求項１，３又は４記載の撮像レンズ。
【請求項６】
前記非球面の形状が、光軸との交点以外の位置に変曲点を有する形状であることを特徴とする請求項１〜５のいずれか１項に記載の撮像レンズ。
【請求項７】
最も物体側に位置する負レンズが像側凹形状を有することを特徴とする請求項１〜６のいずれか１項に記載の撮像レンズ。
【請求項８】
最も物体側に位置する負レンズが樹脂材料から成り、前記負レンズよりも物体側に開口絞りが位置し、以下の条件式(A5)を満足することを特徴とする請求項１〜７のいずれか１項に記載の撮像レンズ；
1.6＜Ndon＜2.2  …(A5)
ただし、
Ndon：最も物体側に位置する負レンズのｄ線に対する屈折率、
である。
【請求項９】
物体側より順に、第１レンズ群と第２レンズ群と第３レンズ群とから構成され、前記第１レンズ群と前記第３レンズ群が像面に対して位置固定の状態で、前記第２レンズ群を光軸方向に移動することによりフォーカシングを行うことを特徴とする請求項１〜８のいずれか１項に記載の撮像レンズ。
【請求項１０】
物体側より順に、第１レンズ群と第２レンズ群とから構成され、前記第２レンズ群が像面に対して位置固定の状態で、前記第１レンズ群を光軸方向に移動することによりフォーカシングを行うことを特徴とする請求項１〜８のいずれか１項に記載の撮像レンズ。
【請求項１１】
以下の条件式(A6)を満足することを特徴とする請求項１〜１０のいずれか１項に記載の撮像レンズ；
0.005＜｜Ton／fon｜＜0.15  …(A6)
ただし、
Ton：最も物体側に位置する負レンズの光軸上厚み、
fon：最も物体側に位置する負レンズの焦点距離、
である。
【請求項１２】
最も物体側に位置する正レンズと最も物体側に位置する負レンズとの間に、開口絞りが位置することを特徴とする請求項１〜１１のいずれか１項に記載の撮像レンズ。
【請求項１３】
最像側レンズが像側凹の形状を有し、以下の条件式(A7)を満足することを特徴とする請求項１〜１２のいずれか１項に記載の撮像レンズ；
0.01＜bf／TL＜0.4  …(A7)
ただし、
bf：最も像側に位置するレンズ面の面頂点から像面までの光軸上距離（平行平板を含む場合は空気換算長）、
である。
【請求項１４】
以下の条件式(A8)を満足することを特徴とする請求項１〜１３のいずれか１項に記載の撮像レンズ；
1＜Eon／Ton＜3  …(A8)
ただし、
Eon：最も物体側に位置する負レンズの前後面において、最大画角の光束のうち最も高い位置を通過する光線と各面との交点間の光軸方向の距離、
である。
【請求項１５】
最も物体側に位置する負レンズの物体側面が凸形状を有することを特徴とする請求項１〜１４のいずれか１項に記載の撮像レンズ。
【請求項１６】
最も物体側に位置する負レンズが射出圧縮成形法により成形されたものであることを特徴とする請求項１〜１５のいずれか１項に記載の撮像レンズ。
【請求項１７】
物体側より順に、第１レンズ群，第２レンズ群及び第３レンズ群を構成する、物体側凸形状の正の第１レンズと、像側凹形状の負の第２レンズと、第３レンズと、像側凸形状の正の第４レンズと、光軸との交点以外の位置に変曲点を有する非球面形状の負の第５レンズと、から成り、前記第１レンズ群と前記第３レンズ群が像面に対して位置固定の状態で、前記第２レンズ群を光軸方向に移動することによりフォーカシングを行う単焦点の撮像レンズであって、
前記第１レンズ群が前記第１レンズと前記第２レンズとを含み、前記第２レンズ群が前記第４レンズを含み、前記第３レンズ群が前記第５レンズを含み、以下の条件式(B1),(B2)及び(B3)を満足することを特徴とする撮像レンズ；
0.05＜(Da＋Db)／TL＜0.8  …(B1)
0.02＜Dam／TL＜0.3  …(B2)
0.3＜Y'／TL＜0.9  …(B3)
ただし、
Da：無限遠物体距離時の第１レンズ群の最も像側の面から第２レンズ群の最も物体側の面までの光軸上距離、
Db：無限遠物体距離時の第２レンズ群の最も像側の面から第３レンズ群の最も物体側の面までの光軸上距離、
TL：最物体側レンズ面の面頂点から像面までの光軸上距離（平行平板を含む場合は空気換算長）、
Dam：最近接物体距離時の第１レンズ群の最も像側の面から第２レンズ群の最も物体側の面までの光軸上距離、
Y'：最大像高、
である。
【請求項１８】
前記第１レンズ群が物体側より順に正の第１レンズと負の第２レンズとの２枚から成り、前記第２レンズ群が物体側より順に第３レンズと正の第４レンズとの２枚から成り、前記第３レンズ群が負の第５レンズから成ることを特徴とする請求項１７記載の撮像レンズ。
【請求項１９】
前記第１レンズ群が全体として正の光学パワーを有し、前記第２レンズ群が全体として正の光学パワーを有し、前記第３レンズ群が全体として負の光学パワーを有することを特徴とする請求項１７又は１８記載の撮像レンズ。
【請求項２０】
以下の条件式(B4)を満足することを特徴とする請求項１７〜１９のいずれか１項に記載の撮像レンズ；
0.01＜Tmin／f＜0.2  …(B4)
ただし、
Tmin：構成するレンズの光軸上厚みのうちの最小値、
f：無限遠物体距離時の全系の焦点距離、
である。
【請求項２１】
以下の条件式(B5)を満足することを特徴とする請求項１７〜２０のいずれか１項に記載の撮像レンズ；
0.005＜｜Tmin／ftmin｜＜0.15  …(B5)
ただし、
Tmin：構成するレンズの光軸上厚みのうちの最小値、
ftmin：光軸上厚みが最小値となるレンズの焦点距離、
である。
【請求項２２】
以下の条件式(B6)を満足することを特徴とする請求項１７〜２１のいずれか１項に記載の撮像レンズ；
0.01＜E1／f1＜0.2  …(B6)
ただし、
E1：第１レンズの前後面において、無限遠物体距離時の最大画角の光束のうち最も高い位置を通過する光線と各面との交点間の光軸方向の距離、
f1：第１レンズの焦点距離、
である。
【請求項２３】
以下の条件式(B7)を満足することを特徴とする請求項１７〜２２のいずれか１項に記載の撮像レンズ；
0.005＜｜T2／f2｜＜0.15  …(B7)
ただし、
T2：第２レンズの光軸上厚み、
f2：第２レンズの焦点距離、
である。
【請求項２４】
以下の条件式(B8)を満足することを特徴とする請求項１７〜２３のいずれか１項に記載の撮像レンズ；
0.01＜E4／f4＜0.3  …(B8)
ただし、
E4：第４レンズの前後面において、無限遠物体距離時の最大画角の光束のうち最も高い位置を通過する光線と各面との交点間の光軸方向の距離、
f4：第４レンズの焦点距離、
である。
【請求項２５】
以下の条件式(B9)を満足することを特徴とする請求項１７〜２４のいずれか１項に記載の撮像レンズ；
0.002＜｜T3／f3｜＜2  …(B9)
ただし、
T3：第３レンズの光軸上厚み、
f3：第３レンズの焦点距離、
である。
【請求項２６】
以下の条件式(B10)を満足することを特徴とする請求項１７〜２５のいずれか１項に記載の撮像レンズ；
0.01＜｜T5／f5｜＜2  …(B10)
ただし、
T5：第５レンズの光軸上厚み、
f5：第５レンズの焦点距離、
である。
【請求項２７】
以下の条件式(B11)及び(B12)を満足することを特徴とする請求項１７〜２６のいずれか１項に記載の撮像レンズ；
0.1＜E4／T4＜1.5  …(B11)
0.5＜E5／T5＜10  …(B12)
ただし、
T4：第４レンズの光軸上厚み、
E5：第５レンズの前後面において、無限遠物体距離時の最大画角の光束のうち最も高い位置を通過する光線と各面との交点間の光軸方向の距離、
である。
【請求項２８】
最像側レンズが像側凹の形状を有し、以下の条件式(B13)を満足することを特徴とする請求項１７〜２７のいずれか１項に記載の撮像レンズ；
0.01＜bf／TL＜0.4  …(B13)
ただし、
bf：最も像側に位置するレンズ面の面頂点から像面までの光軸上距離（平行平板を含む場合は空気換算長）、
である。
【請求項２９】
少なくとも１枚のレンズが射出圧縮成形法により成形されたものであることを特徴とする請求項１７〜２８のいずれか１項に記載の撮像レンズ。
【請求項３０】
請求項１〜２９のいずれか１項に記載の撮像レンズと、撮像面上に形成された光学像を電気的な信号に変換する撮像素子と、を備え、前記撮像素子の撮像面上に被写体の光学像が形成されるように前記撮像レンズが設けられていることを特徴とする撮像光学装置。
【請求項３１】
請求項１７〜２９のいずれか１項に記載の撮像レンズと、撮像面上に形成された光学像を電気的な信号に変換する撮像素子と、を備え、前記撮像素子の撮像面上に被写体の光学像が形成されるように前記撮像レンズが設けられ、前記第３レンズ群と前記撮像面との間を密閉する構造を有することを特徴とする撮像光学装置。
【請求項３２】
請求項３０又は３１記載の撮像光学装置を備えることにより、被写体の静止画撮影，動画撮影のうちの少なくとも一方の機能が付加されたことを特徴とするデジタル機器。
【請求項３３】
前記撮像光学装置から得られる画像データを電気的に加工する画像処理部を有することを特徴とする請求項３２記載のデジタル機器。
【請求項３４】
前記画像処理部で画像の歪みを補正することを特徴とする請求項３３記載のデジタル機器。
【請求項３５】
前記画像処理部で焦点深度を拡大することを特徴とする請求項３３又は３４記載のデジタル機器。
【請求項３６】
携帯端末であることを特徴とする請求項３２〜３５のいずれか１項に記載のデジタル機器。
【国際調査報告】
2011118554.tif 000184
2011118554.tif 000185
2011118554.tif 000186
2011118554.tif 000187
2011118554.tif 000188
2011118554.tif 000189
2011118554.tif 000190
2011118554.tif 000191
2011118554.tif 000192
2011118554.tif 000193
2011118554.tif 000194